(57)【要約】【課題】  廃棄物を処理すべき廃棄物処理義務者の管理が容易となり、もって廃棄物の不法投棄を防止し適正な処分を図ることができる物品取扱者管理システムを提供する。【解決手段】  廃棄対象物１００には、複数のＲＦＩＤ非接触型ＩＣタグ１０２を埋め込んでおく。登録要求端末２００は、入力部２０６で入力した義務者ＩＤおよびタグ情報読取部２０２で読み取ったタグ情報を登録要求とともに登録サーバ３００に送信し、その送信により登録更新ＩＤを受信したときは、受信した登録更新ＩＤを表示する。登録サーバ３００は、登録要求を受信した場合は、受信した義務者ＩＤと対応する義務者身元情報が義務者身元情報登録ＤＢ３０４に記憶されていると判定したときは、登録更新ＩＤを生成し、受信した義務者ＩＤを、受信したタグ情報および生成した登録更新ＩＤと対応付けて義務者ＩＤ登録ＤＢ３０６に登録する。【選択図】  図１
2005100431.tif 000002
【特許請求の範囲】
【請求項１】
物品を取り扱う物品取扱者を管理する物品取扱者管理システムであって、
タグ情報を記憶可能でかつ当該タグ情報を非接触で読取可能な非接触型タグを前記物品に付しておき、
前記非接触型タグから前記タグ情報を非接触で読み取るタグ情報読取手段と、前記物品取扱者に関する取扱者情報を入力する取扱者情報入力手段と、前記取扱者情報を記憶する取扱者情報記憶手段と、前記取扱者情報入力手段で入力した取扱者情報を前記タグ情報読取手段で読み取ったタグ情報と対応付けて前記取扱者情報記憶手段に登録する取扱者情報登録手段とを備えることを特徴とする物品取扱者管理システム。
【請求項２】
請求項１において、
前記取扱者情報登録手段は、前記物品取扱者の更新を行う場合は、前記物品取扱者として現在登録されている者に関する第１取扱者情報と、前記物品取扱者として新たに登録しようとする者に関する第２取扱者情報とを前記取扱者情報入力手段から入力し、
前記取扱者情報記憶手段の取扱者情報のうち前記タグ情報読取手段で読み取ったタグ情報に対応するものと、前記取扱者情報入力手段で入力した第１取扱者情報とが所定関係を満たしているときは、前記取扱者情報入力手段で入力した第２取扱者情報を、前記取扱者情報記憶手段の取扱者情報のうち前記タグ情報読取手段で読み取ったタグ情報に対応するものに代えてまたは加えて前記取扱者情報記憶手段に登録するようになっていることを特徴とする物品取扱者管理システム。
【請求項３】
物品を取り扱う物品取扱者に関する取扱者情報を登録する取扱者情報登録端末と、前記取扱者情報の登録を要求する取扱者情報登録要求端末とを通信可能に接続し、前記物品取扱者を管理する物品取扱者管理システムであって、
タグ情報を記憶可能でかつ当該タグ情報を非接触で読取可能な非接触型タグを前記物品に付しておき、
前記取扱者情報登録要求端末は、前記非接触型タグから前記タグ情報を非接触で読み取るタグ情報読取手段と、前記物品取扱者を識別するための取扱者識別情報を入力する取扱者識別情報入力手段とを有し、前記取扱者識別情報入力手段で入力した取扱者識別情報および前記タグ情報読取手段で読み取ったタグ情報を前記取扱者情報登録端末に送信するようになっており、
前記取扱者情報登録端末は、前記物品取扱者の身元を示す取扱者身元情報を前記取扱者識別情報と対応付けて記憶する取扱者身元情報記憶手段と、前記取扱者識別情報を記憶する取扱者識別情報記憶手段と、前記取扱者識別情報を前記タグ情報と対応付けて前記取扱者識別情報記憶手段に登録する取扱者識別情報登録手段とを有し、前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報と対応する取扱者身元情報が前記取扱者身元情報記憶手段に記憶されていると判定したときは、受信した取扱者識別情報を、受信したタグ情報と対応付けて前記取扱者識別情報記憶手段に登録するようになっていることを特徴とする物品取扱者管理システム。
【請求項４】
請求項３において、
前記取扱者情報登録要求端末は、出力手段と、前記物品取扱者の更新を行うために必要な登録更新ＩＤを入力する登録更新ＩＤ入力手段とを有し、前記物品取扱者の登録を行う場合は、前記取扱者識別情報入力手段で入力した取扱者識別情報および前記タグ情報読取手段で読み取ったタグ情報を登録要求とともに前記取扱者情報登録端末に送信し、その送信により前記登録更新ＩＤを受信したときは、受信した登録更新ＩＤを前記出力手段に出力する一方、前記物品取扱者の更新を行う場合は、前記物品取扱者として現在登録されている者に関する登録更新ＩＤを前記登録更新ＩＤ入力手段から入力し、前記物品取扱者として新たに登録しようとする者に関する取扱者識別情報を前記取扱者識別情報入力手段から入力し、前記登録更新ＩＤ入力手段で入力した登録更新ＩＤ、前記取扱者識別情報入力手段で入力した取扱者識別情報および前記タグ情報読取手段で読み取ったタグ情報を更新要求とともに前記取扱者情報登録端末に送信し、その送信により前記登録更新ＩＤを受信したときは、受信した登録更新ＩＤを前記出力手段に出力するようになっており、
前記取扱者情報登録端末は、前記取扱者識別情報および前記タグ情報に基づいて前記登録更新ＩＤを生成する登録更新ＩＤ生成手段を有し、前記登録要求とともに前記取扱者識別情報および前記タグ情報を受信したときは、受信した取扱者識別情報およびタグ情報に基づいて前記登録更新ＩＤ生成手段による生成および前記取扱者識別情報登録手段による登録を行い、前記登録更新ＩＤ生成手段で生成した登録更新ＩＤを前記取扱者情報登録要求端末に送信する一方、前記更新要求とともに前記登録更新ＩＤ、前記取扱者識別情報および前記タグ情報を受信したときは、受信した取扱者識別情報およびタグ情報に基づいて前記登録更新ＩＤ生成手段による生成を行い、受信した登録更新ＩＤ、取扱者識別情報およびタグ情報に基づいて前記取扱者識別情報登録手段による更新を行い、前記登録更新ＩＤ生成手段で生成した登録更新ＩＤを前記取扱者情報登録要求端末に送信するようになっており、
前記取扱者識別情報登録手段は、前記登録要求を受信した場合は、受信した取扱者識別情報と対応する取扱者身元情報が前記取扱者身元情報記憶手段に記憶されていると判定したときは、受信した取扱者識別情報を、受信したタグ情報および前記登録更新ＩＤ生成手段で生成した登録更新ＩＤと対応付けて前記取扱者識別情報記憶手段に登録する一方、前記更新要求を受信した場合は、前記取扱者識別情報記憶手段の登録更新ＩＤのうち受信したタグ情報に対応するものと、受信した登録更新ＩＤとが同一であると判定したときは、受信した取扱者識別情報を、前記取扱者識別情報記憶手段の取扱者識別情報のうち受信したタグ情報に対応するものに代えてまたは加えて前記取扱者識別情報記憶手段に登録するようになっていることを特徴とする物品取扱者管理システム。
【請求項５】
物品を取り扱う物品取扱者に関する取扱者情報を登録する取扱者情報登録端末と、前記取扱者情報の登録を要求する取扱者情報登録要求端末とを通信可能に接続し、前記物品取扱者を管理する物品取扱者管理システムであって、
タグ情報を記憶可能でかつ当該タグ情報を非接触で読取可能な非接触型タグを前記物品に付しておき、
前記取扱者情報登録要求端末は、前記非接触型タグから前記タグ情報を非接触で読み取るタグ情報読取手段と、前記物品取扱者を識別するための取扱者識別情報を入力する取扱者識別情報入力手段とを有し、前記取扱者識別情報入力手段で入力した取扱者識別情報および前記タグ情報読取手段で読み取ったタグ情報を前記取扱者情報登録端末に送信するようになっており、
前記取扱者情報登録端末は、前記取扱者識別情報を記憶する取扱者識別情報記憶手段と、前記取扱者識別情報を前記タグ情報と対応付けて前記取扱者識別情報記憶手段に登録する取扱者識別情報登録手段とを有し、前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報を、受信したタグ情報と対応付けて前記取扱者識別情報記憶手段に登録するようになっていることを特徴とする物品取扱者管理システム。
【請求項６】
請求項５において、
前記取扱者情報登録要求端末は、前記物品取扱者の登録を行う場合は、前記取扱者識別情報入力手段で入力した取扱者識別情報および前記タグ情報読取手段で読み取ったタグ情報を登録要求とともに前記取扱者情報登録端末に送信する一方、前記物品取扱者の更新を行う場合は、前記物品取扱者として現在登録されている者に関する第１取扱者識別情報、および前記物品取扱者として新たに登録しようとする者に関する第２取扱者識別情報を前記取扱者識別情報入力手段から入力し、前記取扱者識別情報入力手段で入力した第１取扱者識別情報および第２取扱者識別情報並びに前記タグ情報読取手段で読み取ったタグ情報を更新要求とともに前記取扱者情報登録端末に送信するようになっており、
前記取扱者識別情報登録手段は、前記登録要求とともに前記取扱者識別情報および前記タグ情報を受信した場合は、受信した取扱者識別情報を、受信したタグ情報と対応付けて前記取扱者識別情報記憶手段に登録する一方、前記更新要求とともに前記第１取扱者識別情報、前記第２取扱者識別情報および前記タグ情報を受信した場合は、前記取扱者識別情報記憶手段の取扱者識別情報のうち受信したタグ情報に対応するものと、受信した第１取扱者識別情報とが同一であると判定したときは、受信した第２取扱者識別情報を、前記取扱者識別情報記憶手段の取扱者識別情報のうち受信したタグ情報に対応するものに代えてまたは加えて前記取扱者識別情報記憶手段に登録するようになっていることを特徴とする物品取扱者管理システム。
【請求項７】
物品を取り扱う物品取扱者を管理する物品取扱者管理システムであって、
前記物品取扱者を識別するための取扱者識別情報を記憶可能でかつ当該取扱者識別情報を非接触で読取可能な非接触型タグを前記物品に付しておき、
前記取扱者識別情報を入力する取扱者識別情報入力手段と、前記非接触型タグのタグ情報を非接触で書き換えるタグ情報書換手段と、前記取扱者識別情報入力手段で入力した取扱者識別情報を前記タグ情報書換手段により前記非接触型タグに登録する取扱者識別情報登録手段とを備えることを特徴とする物品取扱者管理システム。
【請求項８】
請求項７において、
前記取扱者識別情報を前記非接触型タグから非接触で読み取る取扱者識別情報読取手段を備え、
前記取扱者識別情報登録手段は、前記物品取扱者の更新を行う場合は、前記物品取扱者として現在登録されている者に関する第１取扱者識別情報と、前記物品取扱者として新たに登録しようとする者に関する第２取扱者識別情報とを前記取扱者識別情報入力手段から入力し、
前記取扱者識別情報読取手段で読み取った取扱者識別情報と、前記取扱者識別情報入力手段で入力した第１取扱者識別情報とが所定関係を満たしているときは、前記取扱者識別情報入力手段で入力した第２取扱者識別情報を、前記タグ情報書換手段により前記非接触型タグの取扱者識別情報に代えてまたは加えて登録するようになっていることを特徴とする物品取扱者管理システム。
【請求項９】
請求項１ないし８のいずれか１項において、
前記物品には、複数の前記非接触型タグを付するようにしたことを特徴とする物品取扱者管理システム。
【請求項１０】
請求項３および５のいずれかに記載の物品取扱者管理システムにおける取扱者情報登録端末と通信可能に接続する取扱者情報登録要求端末であって、
前記非接触型タグから前記タグ情報を非接触で読み取るタグ情報読取手段と、前記物品取扱者を識別するための取扱者識別情報を入力する取扱者識別情報入力手段とを備え、
前記取扱者識別情報入力手段で入力した取扱者識別情報および前記タグ情報読取手段で読み取ったタグ情報を前記取扱者情報登録端末に送信するようになっていることを特徴とする取扱者情報登録要求端末。
【請求項１１】
請求項３記載の物品取扱者管理システムにおける取扱者情報登録要求端末と通信可能に接続する取扱者情報登録端末であって、
前記物品取扱者の身元を示す取扱者身元情報を前記取扱者識別情報と対応付けて記憶する取扱者身元情報記憶手段と、前記取扱者識別情報を記憶する取扱者識別情報記憶手段と、前記取扱者識別情報を前記タグ情報と対応付けて前記取扱者識別情報記憶手段に登録する取扱者識別情報登録手段とを備え、
前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報と対応する取扱者身元情報が前記取扱者身元情報記憶手段に記憶されていると判定したときは、受信した取扱者識別情報を、受信したタグ情報と対応付けて前記取扱者識別情報記憶手段に登録するようになっていることを特徴とする取扱者情報登録端末。
【請求項１２】
請求項５記載の物品取扱者管理システムにおける取扱者情報登録要求端末と通信可能に接続する取扱者情報登録端末であって、
前記取扱者識別情報を記憶する取扱者識別情報記憶手段と、前記取扱者識別情報を前記タグ情報と対応付けて前記取扱者識別情報記憶手段に登録する取扱者識別情報登録手段とを備え、
前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報を、受信したタグ情報と対応付けて前記取扱者識別情報記憶手段に登録するようになっていることを特徴とする取扱者情報登録端末。
【請求項１３】
物品を取り扱う物品取扱者を管理する物品取扱者管理プログラムであって、
タグ情報を記憶可能でかつ当該タグ情報を非接触で読取可能な非接触型タグを前記物品に付しておき、
前記非接触型タグから前記タグ情報を非接触で読み取るタグ情報読取手段と、前記物品取扱者に関する取扱者情報を入力する取扱者情報入力手段と、前記取扱者情報を記憶する取扱者情報記憶手段とを備えるコンピュータに対して、
前記取扱者情報入力手段で入力した取扱者情報を前記タグ情報読取手段で読み取ったタグ情報と対応付けて前記取扱者情報記憶手段に登録する取扱者情報登録手段として実現される処理を実行させるためのプログラムであることを特徴とする物品取扱者管理プログラム。
【請求項１４】
物品を取り扱う物品取扱者を管理する物品取扱者管理プログラムであって、
前記物品取扱者を識別するための取扱者識別情報を記憶可能でかつ当該取扱者識別情報を非接触で読取可能な非接触型タグを前記物品に付しておき、
前記取扱者識別情報を入力する取扱者識別情報入力手段と、前記非接触型タグのタグ情報を非接触で書き換えるタグ情報書換手段とを備えるコンピュータに対して、
前記取扱者識別情報入力手段で入力した取扱者識別情報を前記タグ情報書換手段により前記非接触型タグに登録する取扱者識別情報登録手段として実現される処理を実行させるためのプログラムであることを特徴とする物品取扱者管理プログラム。
【請求項１５】
コンピュータからなる請求項１０記載の取扱者情報登録要求端末に実行させるための端末用プログラムであって、
前記取扱者識別情報入力手段で入力した取扱者識別情報および前記タグ情報読取手段で読み取ったタグ情報を前記取扱者情報登録端末に送信する処理を実行させるためのプログラムであることを特徴とする端末用プログラム。
【請求項１６】
コンピュータからなる請求項１１記載の取扱者情報登録端末に実行させるための端末用プログラムであって、
前記取扱者識別情報および前記タグ情報を受信した場合は、受信した取扱者識別情報と対応する取扱者身元情報が前記取扱者身元情報記憶手段に記憶されていると判定したときは、受信した取扱者識別情報を、受信したタグ情報と対応付けて前記取扱者識別情報記憶手段に登録する処理を実行させるためのプログラムであることを特徴とする端末用プログラム。
【請求項１７】
コンピュータからなる請求項１２記載の取扱者情報登録端末に実行させるための端末用プログラムであって、
前記取扱者識別情報および前記タグ情報を受信したときは、受信した取扱者識別情報を、受信したタグ情報と対応付けて前記取扱者識別情報記憶手段に登録する処理を実行させるためのプログラムであることを特徴とする端末用プログラム。
【請求項１８】
物品を取り扱う物品取扱者を管理する物品取扱者管理方法であって、
タグ情報を記憶可能でかつ当該タグ情報を非接触で読取可能な非接触型タグを前記物品に付しておき、
前記非接触型タグから前記タグ情報を非接触で読み取るタグ情報読取ステップと、前記物品取扱者に関する取扱者情報を入力する取扱者情報入力ステップと、前記取扱者情報入力ステップで入力した取扱者情報を前記タグ情報読取ステップで読み取ったタグ情報と対応付けて取扱者情報記憶手段に登録する取扱者情報登録ステップとを含むことを特徴とする物品取扱者管理方法。
【発明の詳細な説明】
【技術分野】
【０００１】
本発明は、物品を取り扱う物品取扱者を管理するシステム、端末およびプログラム、並びに方法に係り、特に、廃棄物を処理すべき廃棄物処理義務者の管理が容易となり、もって廃棄物の不法投棄を防止し適正な処分を図ることができる物品取扱者管理システム、取扱者情報登録要求端末、取扱者情報登録端末、物品取扱者管理プログラムおよび端末用プログラム、並びに物品取扱者管理方法に関する。
【背景技術】
【０００２】
家電等の大型製品は、排出事業者（または最終ユーザ）、収集運搬業者および処分業者を経て、廃棄物として処分される。このように一つの廃棄物が多数の者を経て処分されるため、廃棄物が不法投棄された場合には投棄者を特定しづらく、不法投棄を招きやすい。そこで、廃棄物の不法投棄を防止し適正な処分を図るため、廃棄物の管理には、現在、マニフェスト制度と呼ばれる管理システムが導入されている。マニフェスト制度は、平成９年の産業物処理法の改正に伴って導入されたものであり、排出事業者が産業廃棄物の処分を委託する際に、マニフェスト(ごみ処理のプロセスをチェックする管理表)に、産業廃棄物の名称、収集運搬業者名、処分業者名などを記入し、これを用いて産業廃棄物の流れを把握・管理する仕組みである。
【０００３】
マニフェスト制度による廃棄物の管理は、具体的に次のようにして行われる。
まず、排出事業者は、廃棄物の引き渡し時に、マニフェストに必要事項を記入して収集運搬業者に交付するとともに、廃棄物とマニフェストを確認してもらい、交付したマニフェストの一部（Ａ票）を収集運搬業者から返却してもらう。
次に、収集運搬業者は、廃棄物の受取り時に、必要事項を確認の上、マニフェストに記入・押印して、交付されたマニフェストの一部（Ａ票）を排出事業者に返却する。また、廃棄物の引き渡し時に、マニフェストを処分業者に交付するとともに、廃棄物とマニフェストを確認してもらい、交付したマニフェストの一部（Ｂ１票およびＢ２票）を処分業者から返却してもらう。また、返却を受けたマニフェストの一部（Ｂ２票）を排出事業者に返送する。
【０００４】
次に、処分業者は、廃棄物の受取り時に、必要事項を確認の上、マニフェストに記入・押印して、交付されたマニフェストの一部（Ｂ１票およびＢ２票）を収集運搬業者に返却する。また、廃棄物の処分終了後、交付されたマニフェストの他の一部（Ｄ票およびＥ票）を排出事業者に、さらに他の一部（Ｃ２票）を収集運搬業者に返送する。
そして、排出事業者は、収集運搬業者から返送されたＢ２票とＡ票の照合を行うとともに、処分業者から返送されたＤ票およびＥ票とＡ票およびＢ２票の照合を行う。なお、Ａ票、Ｂ２票、Ｄ票およびＥ票は、５年間保存する。
【０００５】
また、収集運搬業者は、処分業者から返送されたＣ２票とＢ１票の照合を行う。なお、Ｂ１票およびＣ２票は、同様に５年間保存する。
また、処分業者は、同様にＣ１票を５年間保存する。（ただし、中間処理業者にあっては、中間処理した後、Ｅ票を排出事業者に返送する。）
【発明の開示】
【発明が解決しようとする課題】
【０００６】
しかしながら、従来のマニフェスト制度による廃棄物管理方法にあっては、排出事業者、収集運搬業者または処分業者が廃棄物を適正に処理したか否かを管理するものであるため、排出事業者、収集運搬業者または処分業者がマニフェストの記載内容を偽り、製品の製造番号等を廃棄物から取り除き不法投棄した場合には、投棄者を特定することが困難であるという問題があった。
【０００７】
そこで、本発明は、このような従来の技術の有する未解決の課題に着目してなされたものであって、廃棄物を処理すべき廃棄物処理義務者の管理が容易となり、もって廃棄物の不法投棄を防止し適正な処分を図ることができる物品取扱者管理システム、取扱者情報登録要求端末、取扱者情報登録端末、物品取扱者管理プログラムおよび端末用プログラム、並びに物品取扱者管理方法を提供することを目的としている。
【課題を解決するための手段】
【０００８】
〔発明１〕  上記目的を達成するために、発明１の物品取扱者管理システムは、
物品を取り扱う物品取扱者を管理する物品取扱者管理システムであって、
タグ情報を記憶可能でかつ当該タグ情報を非接触で読取可能な非接触型タグを前記物品に付しておき、
前記非接触型タグから前記タグ情報を非接触で読み取るタグ情報読取手段と、前記物品取扱者に関する取扱者情報を入力する取扱者情報入力手段と、前記取扱者情報を記憶する取扱者情報記憶手段と、前記取扱者情報入力手段で入力した取扱者情報を前記タグ情報読取手段で読み取ったタグ情報と対応付けて前記取扱者情報記憶手段に登録する取扱者情報登録手段とを備えることを特徴とする。
【０００９】
このような構成であれば、物品取扱者の登録を行う場合は、物品に付されている非接触型タグからタグ情報読取手段でタグ情報を読み取るとともに、物品取扱者に関する取扱者情報を取扱者情報入力手段から入力する。タグ情報の読取および取扱者情報の入力が行われると、取扱者情報登録手段により、入力された取扱者情報が、読み取られたタグ情報と対応付けられて取扱者情報記憶手段に登録される。
【００１０】
これにより、物品に付されている非接触型タグからタグ情報を読み取って取扱者情報記憶手段の登録内容と照合することにより、物品取扱者を特定できる可能性がある。また、非接触による検出を行うことから、非接触型タグが故意または偶発的に取り除かれる可能性が少ない。したがって、従来に比して、物品取扱者の管理を比較的容易かつ確実に行うことができるという効果が得られる。
【００１１】
ここで、非接触型タグを物品に付することには、非接触型タグを物品の表面または内面に付着することのほか、非接触型タグを物品に埋め込むことも含まれる。以下、発明３、５および７の物品取扱者管理システム、発明１３および１４の物品取扱者管理プログラム、並びに発明１８の物品取扱者管理方法において同じである。
また、取扱者情報には、物品取扱者を識別するための取扱者識別情報、物品取扱者の身元を示す取扱者身元情報、その他物品取扱者に関する情報が含まれる。以下、発明１３の物品取扱者管理プログラム、および発明１８の物品取扱者管理方法において同じである。
【００１２】
また、取扱者情報記憶手段は、取扱者情報またはタグ情報をあらゆる手段でかつあらゆる時期に記憶するものであり、取扱者情報またはタグ情報をあらかじめ記憶してあるものであってもよいし、取扱者情報またはタグ情報をあらかじめ記憶することなく、本システムの動作時に外部からの入力等によって取扱者情報またはタグ情報を記憶するようになっていてもよい。また、取扱者情報記憶手段は、非接触型タグとは別に構成してもよいし、非接触型タグの内蔵メモリとして構成してもよい。以下、発明１３の物品取扱者管理プログラムにおいて同じである。
【００１３】
また、本システムは、単一の装置として実現するようにしてもよいし、複数の端末を通信可能に接続したネットワークシステムとして実現するようにしてもよい。後者の場合、各構成要素は、それぞれ通信可能に接続されていれば、複数の端末のうちどの端末に属していてもよい。以下、発明３、５および７の物品取扱者管理システムにおいて同じである。
【００１４】
〔発明２〕  さらに、発明２の物品取扱者管理システムは、発明１の物品取扱者管理システムにおいて、
前記取扱者情報登録手段は、前記物品取扱者の更新を行う場合は、前記物品取扱者として現在登録されている者に関する第１取扱者情報と、前記物品取扱者として新たに登録しようとする者に関する第２取扱者情報とを前記取扱者情報入力手段から入力し、
前記取扱者情報記憶手段の取扱者情報のうち前記タグ情報読取手段で読み取ったタグ情報に対応するものと、前記取扱者情報入力手段で入力した第１取扱者情報とが所定関係を満たしているときは、前記取扱者情報入力手段で入力した第２取扱者情報を、前記取扱者情報記憶手段の取扱者情報のうち前記タグ情報読取手段で読み取ったタグ情報に対応するものに代えてまたは加えて前記取扱者情報記憶手段に登録するようになっていることを特徴とする。
【００１５】
このような構成であれば、物品取扱者の更新を行う場合は、物品に付されている非接触型タグからタグ情報読取手段でタグ情報を読み取るとともに、第１取扱者情報および第２取扱者情報を取扱者情報入力手段から入力する。この読取および入力により、取扱者情報記憶手段の取扱者情報のうち読み取られたタグ情報に対応するものと、入力された第１取扱者情報とが所定関係を満たしていると、取扱者情報登録手段により、入力された第２取扱者情報が、取扱者情報記憶手段の取扱者情報のうち読み取られたタグ情報に対応するものに代えてまたは加えて取扱者情報記憶手段に登録される。
【００１６】
これにより、物品取扱者の更新を行うには、物品取扱者として新たに登録しようとする者に関する第２取扱者情報のほかに、物品取扱者として現在登録されている者に関する第１取扱者情報を入力する必要があるので、物品取扱者の更新を比較的高い信頼性をもって行うことができる。したがって、物品取扱者の管理をさらに確実に行うことができるという効果も得られる。
【００１７】
ここで、所定関係を満たすこととしては、例えば、照合対象の情報と被照合対象の情報とが一致していること、照合対象の情報を用いて所定演算式により演算を行った結果が被照合対象の情報と一致していること、または照合対象の情報を用いて所定演算式により演算を行った結果と被照合対象の情報を用いて所定演算式により演算を行った結果が一致することが挙げられる。以下、発明８の物品取扱者管理システムにおいて同じである。
【００１８】
〔発明３〕  さらに、発明３の物品取扱者管理システムは、
物品を取り扱う物品取扱者に関する取扱者情報を登録する取扱者情報登録端末と、前記取扱者情報の登録を要求する取扱者情報登録要求端末とを通信可能に接続し、前記物品取扱者を管理する物品取扱者管理システムであって、
タグ情報を記憶可能でかつ当該タグ情報を非接触で読取可能な非接触型タグを前記物品に付しておき、
前記取扱者情報登録要求端末は、前記非接触型タグから前記タグ情報を非接触で読み取るタグ情報読取手段と、前記物品取扱者を識別するための取扱者識別情報を入力する取扱者識別情報入力手段とを有し、前記取扱者識別情報入力手段で入力した取扱者識別情報および前記タグ情報読取手段で読み取ったタグ情報を前記取扱者情報登録端末に送信するようになっており、
前記取扱者情報登録端末は、前記物品取扱者の身元を示す取扱者身元情報を前記取扱者識別情報と対応付けて記憶する取扱者身元情報記憶手段と、前記取扱者識別情報を記憶する取扱者識別情報記憶手段と、前記取扱者識別情報を前記タグ情報と対応付けて前記取扱者識別情報記憶手段に登録する取扱者識別情報登録手段とを有し、前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報と対応する取扱者身元情報が前記取扱者身元情報記憶手段に記憶されていると判定したときは、受信した取扱者識別情報を、受信したタグ情報と対応付けて前記取扱者識別情報記憶手段に登録するようになっていることを特徴とする。
【００１９】
このような構成であれば、物品取扱者の登録を行う場合は、取扱者情報登録要求端末において、物品に付されている非接触型タグからタグ情報読取手段でタグ情報を読み取るとともに、物品取扱者を識別するための取扱者識別情報を取扱者識別情報入力手段から入力する。
取扱者情報登録要求端末では、タグ情報の読取および取扱者識別情報の入力が行われると、入力された取扱者識別情報および読み取られたタグ情報が取扱者情報登録端末に送信される。
【００２０】
取扱者情報登録端末では、取扱者識別情報およびタグ情報を受信すると、取扱者識別情報登録手段により、受信した取扱者識別情報と対応する取扱者身元情報が取扱者身元情報記憶手段に記憶されているか否かが判定される。その結果、記憶されていると判定されると、受信した取扱者識別情報が、受信したタグ情報と対応付けられて取扱者識別情報記憶手段に登録される。
【００２１】
これにより、物品に付されている非接触型タグからタグ情報を読み取って取扱者識別情報記憶手段の登録内容と照合することにより、物品取扱者を特定できる可能性がある。また、非接触による検出を行うことから、非接触型タグが故意または偶発的に取り除かれる可能性が少ない。したがって、従来に比して、物品取扱者の管理を比較的容易かつ確実に行うことができるという効果が得られる。さらに、取扱者身元情報記憶手段に身元が登録されている者にしか登録適格が与えられていないので、身元不明者による登録を防止することができ、物品取扱者の管理をさらに確実に行うことができるという効果も得られる。
【００２２】
ここで、取扱者識別情報は、物品取扱者を識別するための情報であって、これには、例えば、数値、文字その他の記号からなる取扱者ＩＤ、または物品取扱者の生体特徴を示す生体情報が含まれる。以下、発明５および７の物品取扱者管理システム、発明１０の取扱者情報登録要求端末、発明１１および１２の取扱者情報登録端末、発明１４の物品取扱者管理プログラム、並びに発明１５ないし１７の端末用プログラムにおいて同じである。
【００２３】
また、取扱者身元情報記憶手段は、取扱者身元情報をあらゆる手段でかつあらゆる時期に記憶するものであり、取扱者身元情報をあらかじめ記憶してあるものであってもよいし、取扱者身元情報をあらかじめ記憶することなく、本システムの動作時に外部からの入力等によって取扱者身元情報を記憶するようになっていてもよい。また、取扱者身元情報記憶手段は、非接触型タグとは別に構成してもよいし、非接触型タグの内蔵メモリとして構成してもよい。これらのことは、取扱者識別情報記憶手段に取扱者識別情報またはタグ情報を記憶する場合についても同様である。以下、発明１１の取扱者情報登録端末において同じである。
【００２４】
〔発明４〕  さらに、発明４の物品取扱者管理システムは、発明３の物品取扱者管理システムにおいて、
前記取扱者情報登録要求端末は、出力手段と、前記物品取扱者の更新を行うために必要な登録更新ＩＤを入力する登録更新ＩＤ入力手段とを有し、前記物品取扱者の登録を行う場合は、前記取扱者識別情報入力手段で入力した取扱者識別情報および前記タグ情報読取手段で読み取ったタグ情報を登録要求とともに前記取扱者情報登録端末に送信し、その送信により前記登録更新ＩＤを受信したときは、受信した登録更新ＩＤを前記出力手段に出力する一方、前記物品取扱者の更新を行う場合は、前記物品取扱者として現在登録されている者に関する登録更新ＩＤを前記登録更新ＩＤ入力手段から入力し、前記物品取扱者として新たに登録しようとする者に関する取扱者識別情報を前記取扱者識別情報入力手段から入力し、前記登録更新ＩＤ入力手段で入力した登録更新ＩＤ、前記取扱者識別情報入力手段で入力した取扱者識別情報および前記タグ情報読取手段で読み取ったタグ情報を更新要求とともに前記取扱者情報登録端末に送信し、その送信により前記登録更新ＩＤを受信したときは、受信した登録更新ＩＤを前記出力手段に出力するようになっており、
前記取扱者情報登録端末は、前記取扱者識別情報および前記タグ情報に基づいて前記登録更新ＩＤを生成する登録更新ＩＤ生成手段を有し、前記登録要求とともに前記取扱者識別情報および前記タグ情報を受信したときは、受信した取扱者識別情報およびタグ情報に基づいて前記登録更新ＩＤ生成手段による生成および前記取扱者識別情報登録手段による登録を行い、前記登録更新ＩＤ生成手段で生成した登録更新ＩＤを前記取扱者情報登録要求端末に送信する一方、前記更新要求とともに前記登録更新ＩＤ、前記取扱者識別情報および前記タグ情報を受信したときは、受信した取扱者識別情報およびタグ情報に基づいて前記登録更新ＩＤ生成手段による生成を行い、受信した登録更新ＩＤ、取扱者識別情報およびタグ情報に基づいて前記取扱者識別情報登録手段による更新を行い、前記登録更新ＩＤ生成手段で生成した登録更新ＩＤを前記取扱者情報登録要求端末に送信するようになっており、
前記取扱者識別情報登録手段は、前記登録要求を受信した場合は、受信した取扱者識別情報と対応する取扱者身元情報が前記取扱者身元情報記憶手段に記憶されていると判定したときは、受信した取扱者識別情報を、受信したタグ情報および前記登録更新ＩＤ生成手段で生成した登録更新ＩＤと対応付けて前記取扱者識別情報記憶手段に登録する一方、前記更新要求を受信した場合は、前記取扱者識別情報記憶手段の登録更新ＩＤのうち受信したタグ情報に対応するものと、受信した登録更新ＩＤとが同一であると判定したときは、受信した取扱者識別情報を、前記取扱者識別情報記憶手段の取扱者識別情報のうち受信したタグ情報に対応するものに代えてまたは加えて前記取扱者識別情報記憶手段に登録するようになっていることを特徴とする。
【００２５】
このような構成であれば、物品取扱者の登録を行う場合は、取扱者情報登録要求端末において、物品に付されている非接触型タグからタグ情報読取手段でタグ情報を読み取るとともに、取扱者識別情報を取扱者識別情報入力手段から入力する。
取扱者情報登録要求端末では、タグ情報の読取および取扱者識別情報の入力が行われると、入力された取扱者識別情報および読み取られたタグ情報が登録要求とともに取扱者情報登録端末に送信される。
【００２６】
取扱者情報登録端末では、登録要求とともに取扱者識別情報およびタグ情報を受信すると、登録更新ＩＤ生成手段により、受信した取扱者識別情報およびタグ情報に基づいて登録更新ＩＤが生成される。そして、取扱者識別情報登録手段により、受信した取扱者識別情報と対応する取扱者身元情報が取扱者身元情報記憶手段に記憶されているか否かが判定される。その結果、記憶されていると判定されると、受信した取扱者識別情報が、受信したタグ情報および生成された登録更新ＩＤと対応付けられて取扱者識別情報記憶手段に登録される。また、生成された登録更新ＩＤが取扱者情報登録要求端末に送信される。
【００２７】
取扱者情報登録要求端末では、登録更新ＩＤを受信すると、受信した登録更新ＩＤが出力手段に出力される。この登録更新ＩＤは、物品取扱者の更新を行う場合に用いられるので、物品取扱者は、出力により取得した登録更新ＩＤを必要な時まで保管する。
一方、物品取扱者の更新を行う場合は、取扱者情報登録要求端末において、物品に付されている非接触型タグからタグ情報読取手段でタグ情報を読み取るとともに、登録更新ＩＤを登録更新ＩＤ入力手段から、取扱者識別情報を取扱者識別情報入力手段からそれぞれ入力する。登録更新ＩＤの入力は、物品取扱者として現在登録されている者が直接行うか、その者から登録更新ＩＤを知得して、物品取扱者として新たに登録しようとする者が行う。
【００２８】
取扱者情報登録要求端末では、タグ情報の読取並びに登録更新ＩＤおよび取扱者識別情報の入力が行われると、入力された登録更新ＩＤおよび取扱者識別情報並びに読み取られたタグ情報が更新要求とともに取扱者情報登録端末に送信される。
取扱者情報登録端末では、更新要求とともに登録更新ＩＤ、取扱者識別情報およびタグ情報を受信すると、登録更新ＩＤ生成手段により、受信した取扱者識別情報およびタグ情報に基づいて登録更新ＩＤが生成される。そして、取扱者識別情報登録手段により、取扱者識別情報記憶手段の登録更新ＩＤのうち受信したタグ情報に対応するものと、受信した登録更新ＩＤとが同一であるか否かが判定される。その結果、同一であると判定されると、受信した取扱者識別情報が、取扱者識別情報記憶手段の取扱者識別情報のうち受信したタグ情報に対応するものに代えてまたは加えて取扱者識別情報記憶手段に登録される。また、生成された登録更新ＩＤが取扱者情報登録要求端末に送信される。
【００２９】
取扱者情報登録要求端末では、登録更新ＩＤを受信すると、受信した登録更新ＩＤが出力手段に出力される。
これにより、物品取扱者の更新を行うには、物品取扱者として新たに登録しようとする者に関する取扱者識別情報のほかに、物品取扱者として現在登録されている者に関する登録更新ＩＤを入力する必要があるので、物品取扱者の更新を比較的高い信頼性をもって行うことができる。したがって、物品取扱者の管理をさらに確実に行うことができるという効果も得られる。さらに、更新時においては、物品取扱者として現在登録されている者に関する情報として、取扱者識別情報ではなく登録更新ＩＤを用いるので、取扱者識別情報が盗用されて他者により登録が行われる可能性を低減することもできるという効果も得られる。
【００３０】
ここで、出力手段は、例えば、ＣＲＴ（Cathode Ray Tube）等の表示手段、スピーカ等の音声出力手段、プリンタ等の印刷手段、ＦＤＤ（Flexible Disk Drive）等の情報書込手段、若しくはモデム等の通信手段であってもよく、またはこれらの手段に登録更新ＩＤを出力するための処理であってもよい。以下、発明６の物品取扱者管理システムにおいて同じである。
【００３１】
〔発明５〕  さらに、発明５の物品取扱者管理システムは、
物品を取り扱う物品取扱者に関する取扱者情報を登録する取扱者情報登録端末と、前記取扱者情報の登録を要求する取扱者情報登録要求端末とを通信可能に接続し、前記物品取扱者を管理する物品取扱者管理システムであって、
タグ情報を記憶可能でかつ当該タグ情報を非接触で読取可能な非接触型タグを前記物品に付しておき、
前記取扱者情報登録要求端末は、前記非接触型タグから前記タグ情報を非接触で読み取るタグ情報読取手段と、前記物品取扱者を識別するための取扱者識別情報を入力する取扱者識別情報入力手段とを有し、前記取扱者識別情報入力手段で入力した取扱者識別情報および前記タグ情報読取手段で読み取ったタグ情報を前記取扱者情報登録端末に送信するようになっており、
前記取扱者情報登録端末は、前記取扱者識別情報を記憶する取扱者識別情報記憶手段と、前記取扱者識別情報を前記タグ情報と対応付けて前記取扱者識別情報記憶手段に登録する取扱者識別情報登録手段とを有し、前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報を、受信したタグ情報と対応付けて前記取扱者識別情報記憶手段に登録するようになっていることを特徴とする。
【００３２】
このような構成であれば、物品取扱者の登録を行う場合は、取扱者情報登録要求端末において、物品に付されている非接触型タグからタグ情報読取手段でタグ情報を読み取るとともに、物品取扱者を識別するための取扱者識別情報を取扱者識別情報入力手段から入力する。
取扱者情報登録要求端末では、タグ情報の読取および取扱者識別情報の入力が行われると、入力された取扱者識別情報および読み取られたタグ情報が取扱者情報登録端末に送信される。
【００３３】
取扱者情報登録端末では、取扱者識別情報およびタグ情報を受信すると、取扱者識別情報登録手段により、受信した取扱者識別情報が、受信したタグ情報と対応付けられて取扱者識別情報記憶手段に登録される。
これにより、物品に付されている非接触型タグからタグ情報を読み取って取扱者識別情報記憶手段の登録内容と照合することにより、物品取扱者を特定できる可能性がある。また、非接触による検出を行うことから、非接触型タグが故意または偶発的に取り除かれる可能性が少ない。したがって、従来に比して、物品取扱者の管理を比較的容易かつ確実に行うことができるという効果が得られる。
【００３４】
ここで、取扱者識別情報記憶手段は、取扱者識別情報またはタグ情報をあらゆる手段でかつあらゆる時期に記憶するものであり、取扱者識別情報またはタグ情報をあらかじめ記憶してあるものであってもよいし、取扱者識別情報またはタグ情報をあらかじめ記憶することなく、本システムの動作時に外部からの入力等によって取扱者識別情報またはタグ情報を記憶するようになっていてもよい。また、取扱者識別情報記憶手段は、非接触型タグとは別に構成してもよいし、非接触型タグの内蔵メモリとして構成してもよい。以下、発明１２の取扱者情報登録端末において同じである。
【００３５】
〔発明６〕  さらに、発明６の物品取扱者管理システムは、発明５の物品取扱者管理システムにおいて、
前記取扱者情報登録要求端末は、前記物品取扱者の登録を行う場合は、前記取扱者識別情報入力手段で入力した取扱者識別情報および前記タグ情報読取手段で読み取ったタグ情報を登録要求とともに前記取扱者情報登録端末に送信する一方、前記物品取扱者の更新を行う場合は、前記物品取扱者として現在登録されている者に関する第１取扱者識別情報、および前記物品取扱者として新たに登録しようとする者に関する第２取扱者識別情報を前記取扱者識別情報入力手段から入力し、前記取扱者識別情報入力手段で入力した第１取扱者識別情報および第２取扱者識別情報並びに前記タグ情報読取手段で読み取ったタグ情報を更新要求とともに前記取扱者情報登録端末に送信するようになっており、
前記取扱者識別情報登録手段は、前記登録要求とともに前記取扱者識別情報および前記タグ情報を受信した場合は、受信した取扱者識別情報を、受信したタグ情報と対応付けて前記取扱者識別情報記憶手段に登録する一方、前記更新要求とともに前記第１取扱者識別情報、前記第２取扱者識別情報および前記タグ情報を受信した場合は、前記取扱者識別情報記憶手段の取扱者識別情報のうち受信したタグ情報に対応するものと、受信した第１取扱者識別情報とが同一であると判定したときは、受信した第２取扱者識別情報を、前記取扱者識別情報記憶手段の取扱者識別情報のうち受信したタグ情報に対応するものに代えてまたは加えて前記取扱者識別情報記憶手段に登録するようになっていることを特徴とする。
【００３６】
このような構成であれば、物品取扱者の登録を行う場合は、取扱者情報登録要求端末において、物品に付されている非接触型タグからタグ情報読取手段でタグ情報を読み取るとともに、取扱者識別情報を取扱者識別情報入力手段から入力する。
取扱者情報登録要求端末では、タグ情報の読取および取扱者識別情報の入力が行われると、入力された取扱者識別情報および読み取られたタグ情報が登録要求とともに取扱者情報登録端末に送信される。
【００３７】
取扱者情報登録端末では、登録要求とともに取扱者識別情報およびタグ情報を受信すると、取扱者識別情報登録手段により、受信した取扱者識別情報が、受信したタグ情報と対応付けられて取扱者識別情報記憶手段に登録される。
一方、物品取扱者の更新を行う場合は、取扱者情報登録要求端末において、物品に付されている非接触型タグからタグ情報読取手段でタグ情報を読み取るとともに、第１取扱者識別情報および第２取扱者識別情報を取扱者識別情報入力手段から入力する。第１取扱者識別情報の入力は、物品取扱者として現在登録されている者が直接行うか、その者から取扱者識別情報を知得して、物品取扱者として新たに登録しようとする者が行う。
【００３８】
取扱者情報登録要求端末では、タグ情報の読取並びに第１取扱者識別情報および第２取扱者識別情報の入力が行われると、入力された第１取扱者識別情報および第２取扱者識別情報並びに読み取られたタグ情報が更新要求とともに取扱者情報登録端末に送信される。
取扱者情報登録端末では、更新要求とともに第１取扱者識別情報、第２取扱者識別情報およびタグ情報を受信すると、取扱者識別情報登録手段により、取扱者識別情報記憶手段の取扱者識別情報のうち受信したタグ情報に対応するものと、受信した第１取扱者識別情報とが同一であるか否かが判定される。その結果、同一であると判定されると、受信した第２取扱者識別情報が、取扱者識別情報記憶手段の取扱者識別情報のうち受信したタグ情報に対応するものに代えてまたは加えて取扱者識別情報記憶手段に登録される。
したがって、物品取扱者の更新を行うには、物品取扱者として新たに登録しようとする者に関する取扱者識別情報のほかに、物品取扱者として現在登録されている者に関する取扱者識別情報を入力する必要がある。
【００３９】
〔発明７〕  さらに、発明７の物品取扱者管理システムは、
物品を取り扱う物品取扱者を管理する物品取扱者管理システムであって、
前記物品取扱者を識別するための取扱者識別情報を記憶可能でかつ当該取扱者識別情報を非接触で読取可能な非接触型タグを前記物品に付しておき、
前記取扱者識別情報を入力する取扱者識別情報入力手段と、前記非接触型タグのタグ情報を非接触で書き換えるタグ情報書換手段と、前記取扱者識別情報入力手段で入力した取扱者識別情報を前記タグ情報書換手段により前記非接触型タグに登録する取扱者識別情報登録手段とを備えることを特徴とする。
【００４０】
このような構成であれば、物品取扱者の登録を行う場合は、物品取扱者を識別するための取扱者識別情報を取扱者識別情報入力手段から入力する。取扱者識別情報の入力が行われると、取扱者識別情報登録手段により、入力された取扱者識別情報がタグ情報書換手段により非接触型タグに登録される。
これにより、物品に付されている非接触型タグから取扱者識別情報を読み取ることにより、物品取扱者を特定できる可能性がある。また、非接触による検出を行うことから、非接触型タグが故意または偶発的に取り除かれる可能性が少ない。したがって、従来に比して、物品取扱者の管理を比較的容易かつ確実に行うことができるという効果が得られる。
【００４１】
〔発明８〕  さらに、発明８の物品取扱者管理システムは、発明７の物品取扱者管理システムにおいて、
前記取扱者識別情報を前記非接触型タグから非接触で読み取る取扱者識別情報読取手段を備え、
前記取扱者識別情報登録手段は、前記物品取扱者の更新を行う場合は、前記物品取扱者として現在登録されている者に関する第１取扱者識別情報と、前記物品取扱者として新たに登録しようとする者に関する第２取扱者識別情報とを前記取扱者識別情報入力手段から入力し、
前記取扱者識別情報読取手段で読み取った取扱者識別情報と、前記取扱者識別情報入力手段で入力した第１取扱者識別情報とが所定関係を満たしているときは、前記取扱者識別情報入力手段で入力した第２取扱者識別情報を、前記タグ情報書換手段により前記非接触型タグの取扱者識別情報に代えてまたは加えて登録するようになっていることを特徴とする。
【００４２】
このような構成であれば、物品取扱者の更新を行う場合は、物品に付されている非接触型タグから取扱者識別情報読取手段で取扱者識別情報を読み取るとともに、第１取扱者識別情報および第２取扱者識別情報を取扱者識別情報入力手段から入力する。この読取および入力により、読み取られた取扱者識別情報と、入力された第１取扱者識別情報とが所定関係を満たしていると、取扱者識別情報登録手段により、入力された第２取扱者識別情報が、タグ情報書換手段により非接触型タグの取扱者識別情報に代えてまたは加えて登録される。
【００４３】
これにより、物品取扱者の更新を行うには、物品取扱者として新たに登録しようとする者に関する第２取扱者識別情報のほかに、物品取扱者として現在登録されている者に関する第１取扱者識別情報を入力する必要があるので、物品取扱者の更新を比較的高い信頼性をもって行うことができる。したがって、物品取扱者の管理をさらに確実に行うことができるという効果も得られる。
【００４４】
〔発明９〕  さらに、発明９の物品取扱者管理システムは、発明１ないし８のいずれか１の物品取扱者管理システムにおいて、
前記物品には、複数の前記非接触型タグを付するようにしたことを特徴とする。
このような構成であれば、物品には、複数の非接触型タグが付されているので、非接触型タグが故意または偶発的に取り除かれる可能性がさらに少なくなる。
これにより、物品取扱者の管理をさらに確実に行うことができるという効果も得られる。
ここで、非接触型タグは、物品に複数付してあればよいが、物品から非接触型タグを不正に除去するのを防止する観点からは、物品の不規則な位置に付することが好ましく、さらには、各物品ごとに異なる位置に付することが好ましい。
【００４５】
〔発明１０〕  一方、上記目的を達成するために、発明１０の取扱者情報登録要求端末は、
発明３および５のいずれかの物品取扱者管理システムにおける取扱者情報登録端末と通信可能に接続する取扱者情報登録要求端末であって、
前記非接触型タグから前記タグ情報を非接触で読み取るタグ情報読取手段と、前記物品取扱者を識別するための取扱者識別情報を入力する取扱者識別情報入力手段とを備え、
前記取扱者識別情報入力手段で入力した取扱者識別情報および前記タグ情報読取手段で読み取ったタグ情報を前記取扱者情報登録端末に送信するようになっていることを特徴とする。
このような構成であれば、発明３および５のいずれかの物品取扱者管理システムにおける取扱者情報登録要求端末と同等の作用が得られる。したがって、発明３および５のいずれかの物品取扱者管理システムと同等の効果が得られる。
【００４６】
〔発明１１〕  一方、上記目的を達成するために、発明１１の取扱者情報登録端末は、
発明３の物品取扱者管理システムにおける取扱者情報登録要求端末と通信可能に接続する取扱者情報登録端末であって、
前記物品取扱者の身元を示す取扱者身元情報を前記取扱者識別情報と対応付けて記憶する取扱者身元情報記憶手段と、前記取扱者識別情報を記憶する取扱者識別情報記憶手段と、前記取扱者識別情報を前記タグ情報と対応付けて前記取扱者識別情報記憶手段に登録する取扱者識別情報登録手段とを備え、
前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報と対応する取扱者身元情報が前記取扱者身元情報記憶手段に記憶されていると判定したときは、受信した取扱者識別情報を、受信したタグ情報と対応付けて前記取扱者識別情報記憶手段に登録するようになっていることを特徴とする。
このような構成であれば、発明３の物品取扱者管理システムにおける取扱者情報登録端末と同等の作用が得られる。したがって、発明３の物品取扱者管理システムと同等の効果が得られる。
【００４７】
〔発明１２〕  さらに、発明１２の取扱者情報登録端末は、
発明５の物品取扱者管理システムにおける取扱者情報登録要求端末と通信可能に接続する取扱者情報登録端末であって、
前記取扱者識別情報を記憶する取扱者識別情報記憶手段と、前記取扱者識別情報を前記タグ情報と対応付けて前記取扱者識別情報記憶手段に登録する取扱者識別情報登録手段とを備え、
前記取扱者識別情報および前記タグ情報を受信したときは、受信した取扱者識別情報およびタグ情報に基づいて前記取扱者識別情報登録手段による登録を行うようになっており、
前記取扱者識別情報登録手段は、受信した取扱者識別情報を、受信したタグ情報と対応付けて前記取扱者識別情報記憶手段に登録するようになっていることを特徴とする。
このような構成であれば、発明５の物品取扱者管理システムにおける取扱者情報登録端末と同等の作用が得られる。したがって、発明５の物品取扱者管理システムと同等の効果が得られる。
【００４８】
〔発明１３〕  一方、上記目的を達成するために、発明１３の物品取扱者管理プログラムは、
物品を取り扱う物品取扱者を管理する物品取扱者管理プログラムであって、
タグ情報を記憶可能でかつ当該タグ情報を非接触で読取可能な非接触型タグを前記物品に付しておき、
前記非接触型タグから前記タグ情報を非接触で読み取るタグ情報読取手段と、前記物品取扱者に関する取扱者情報を入力する取扱者情報入力手段と、前記取扱者情報を記憶する取扱者情報記憶手段とを備えるコンピュータに対して、
前記取扱者情報入力手段で入力した取扱者情報を前記タグ情報読取手段で読み取ったタグ情報と対応付けて前記取扱者情報記憶手段に登録する取扱者情報登録手段として実現される処理を実行させるためのプログラムであることを特徴とする。
このような構成であれば、コンピュータによってプログラムが読み取られ、読み取られたプログラムに従ってコンピュータが処理を実行すると、発明１の物品取扱者管理システムと同等の作用および効果が得られる。
【００４９】
〔発明１４〕  さらに、発明１４の物品取扱者管理プログラムは、
物品を取り扱う物品取扱者を管理する物品取扱者管理プログラムであって、
前記物品取扱者を識別するための取扱者識別情報を記憶可能でかつ当該取扱者識別情報を非接触で読取可能な非接触型タグを前記物品に付しておき、
前記取扱者識別情報を入力する取扱者識別情報入力手段と、前記非接触型タグのタグ情報を非接触で書き換えるタグ情報書換手段とを備えるコンピュータに対して、
前記取扱者識別情報入力手段で入力した取扱者識別情報を前記タグ情報書換手段により前記非接触型タグに登録する取扱者識別情報登録手段として実現される処理を実行させるためのプログラムであることを特徴とする。
このような構成であれば、コンピュータによってプログラムが読み取られ、読み取られたプログラムに従ってコンピュータが処理を実行すると、発明７の物品取扱者管理システムと同等の作用および効果が得られる。
【００５０】
〔発明１５〕  一方、上記目的を達成するために、発明１５の端末用プログラムは、
コンピュータからなる発明１０の取扱者情報登録要求端末に実行させるための端末用プログラムであって、
前記取扱者識別情報入力手段で入力した取扱者識別情報および前記タグ情報読取手段で読み取ったタグ情報を前記取扱者情報登録端末に送信する処理を実行させるためのプログラムであることを特徴とする。
このような構成であれば、取扱者情報登録要求端末によってプログラムが読み取られ、読み取られたプログラムに従って取扱者情報登録要求端末が処理を実行すると、発明１０の取扱者情報登録要求端末と同等の作用および効果が得られる。
【００５１】
〔発明１６〕  さらに、発明１６の端末用プログラムは、
コンピュータからなる発明１１の取扱者情報登録端末に実行させるための端末用プログラムであって、
前記取扱者識別情報および前記タグ情報を受信した場合は、受信した取扱者識別情報と対応する取扱者身元情報が前記取扱者身元情報記憶手段に記憶されていると判定したときは、受信した取扱者識別情報を、受信したタグ情報と対応付けて前記取扱者識別情報記憶手段に登録する処理を実行させるためのプログラムであることを特徴とする。
このような構成であれば、取扱者情報登録端末によってプログラムが読み取られ、読み取られたプログラムに従って取扱者情報登録端末が処理を実行すると、発明１１の取扱者情報登録端末と同等の作用および効果が得られる。
【００５２】
〔発明１７〕  さらに、発明１７の端末用プログラムは、
コンピュータからなる発明１２の取扱者情報登録端末に実行させるための端末用プログラムであって、
前記取扱者識別情報および前記タグ情報を受信したときは、受信した取扱者識別情報を、受信したタグ情報と対応付けて前記取扱者識別情報記憶手段に登録する処理を実行させるためのプログラムであることを特徴とする。
このような構成であれば、取扱者情報登録端末によってプログラムが読み取られ、読み取られたプログラムに従って取扱者情報登録端末が処理を実行すると、発明１２の取扱者情報登録端末と同等の作用および効果が得られる。
【００５３】
〔発明１８〕  一方、上記目的を達成するために、発明１８の物品取扱者管理方法は、
物品を取り扱う物品取扱者を管理する物品取扱者管理方法であって、
タグ情報を記憶可能でかつ当該タグ情報を非接触で読取可能な非接触型タグを前記物品に付しておき、
前記非接触型タグから前記タグ情報を非接触で読み取るタグ情報読取ステップと、前記物品取扱者に関する取扱者情報を入力する取扱者情報入力ステップと、前記取扱者情報入力ステップで入力した取扱者情報を前記タグ情報読取ステップで読み取ったタグ情報と対応付けて取扱者情報記憶手段に登録する取扱者情報登録ステップとを含むことを特徴とする。
これにより、発明１の物品取扱者管理システムと同等の効果が得られる。
【００５４】
〔発明１９〕  一方、上記目的を達成するために、発明１９の廃棄物処理義務者管理システムは、
廃棄物を処理すべき廃棄物処理義務者を管理する廃棄物処理義務者管理システムであって、
タグ情報を記憶可能でかつ当該タグ情報を非接触で読取可能な非接触型タグを、廃棄物の対象となり得る廃棄対象物に付しておき、
前記非接触型タグから前記タグ情報を非接触で読み取るタグ情報読取手段と、前記廃棄物処理義務者に関する義務者情報を入力する義務者情報入力手段と、前記義務者情報を記憶する義務者情報記憶手段と、前記義務者情報入力手段で入力した義務者情報を前記タグ情報読取手段で読み取ったタグ情報と対応付けて前記義務者情報記憶手段に登録する義務者情報登録手段とを備えることを特徴とする。
【００５５】
このような構成であれば、廃棄物処理義務者の登録を行う場合は、廃棄対象物に付されている非接触型タグからタグ情報読取手段でタグ情報を読み取るとともに、廃棄物処理義務者に関する義務者情報を義務者情報入力手段から入力する。タグ情報の読取および義務者情報の入力が行われると、義務者情報登録手段により、入力された義務者情報が、読み取られたタグ情報と対応付けられて義務者情報記憶手段に登録される。
【００５６】
これにより、非接触型タグが付されている廃棄対象物が不法投棄された場合は、その廃棄対象物に付されている非接触型タグからタグ情報を読み取って義務者情報記憶手段の登録内容と照合することにより、廃棄物処理義務者を特定できる可能性がある。また、非接触による検出を行うことから、非接触型タグが故意または偶発的に取り除かれる可能性が少ない。したがって、従来に比して、廃棄物処理義務者の管理を比較的容易かつ確実に行うことができるという効果が得られる。
【００５７】
ここで、非接触型タグを廃棄対象物に付することには、非接触型タグを廃棄対象物の表面または内面に付着することのほか、非接触型タグを廃棄対象物に埋め込むことも含まれる。以下、発明２１、２３および２５の廃棄物処理義務者管理システム、発明３１および３２の廃棄物処理義務者管理プログラム、並びに発明３６の廃棄物処理義務者管理方法において同じである。
また、義務者情報には、廃棄物処理義務者を識別するための義務者識別情報、廃棄物処理義務者の身元を示す義務者身元情報、その他廃棄物処理義務者に関する情報が含まれる。以下、発明３１の廃棄物処理義務者管理プログラム、および発明３６の廃棄物処理義務者管理方法において同じである。
【００５８】
また、義務者情報記憶手段は、義務者情報またはタグ情報をあらゆる手段でかつあらゆる時期に記憶するものであり、義務者情報またはタグ情報をあらかじめ記憶してあるものであってもよいし、義務者情報またはタグ情報をあらかじめ記憶することなく、本システムの動作時に外部からの入力等によって義務者情報またはタグ情報を記憶するようになっていてもよい。また、義務者情報記憶手段は、非接触型タグとは別に構成してもよいし、非接触型タグの内蔵メモリとして構成してもよい。以下、発明３１の廃棄物処理義務者管理プログラムにおいて同じである。
【００５９】
また、本システムは、単一の装置として実現するようにしてもよいし、複数の端末を通信可能に接続したネットワークシステムとして実現するようにしてもよい。後者の場合、各構成要素は、それぞれ通信可能に接続されていれば、複数の端末のうちどの端末に属していてもよい。以下、発明２１、２３および２５の廃棄物処理義務者管理システムにおいて同じである。
【００６０】
〔発明２０〕  さらに、発明２０の廃棄物処理義務者管理システムは、発明１９の廃棄物処理義務者管理システムにおいて、
前記義務者情報登録手段は、前記廃棄物処理義務者の更新を行う場合は、前記廃棄物処理義務者として現在登録されている者に関する第１義務者情報と、前記廃棄物処理義務者として新たに登録しようとする者に関する第２義務者情報とを前記義務者情報入力手段から入力し、
前記義務者情報記憶手段の義務者情報のうち前記タグ情報読取手段で読み取ったタグ情報に対応するものと、前記義務者情報入力手段で入力した第１義務者情報とが所定関係を満たしているときは、前記義務者情報入力手段で入力した第２義務者情報を、前記義務者情報記憶手段の義務者情報のうち前記タグ情報読取手段で読み取ったタグ情報に対応するものに代えてまたは加えて前記義務者情報記憶手段に登録するようになっていることを特徴とする。
【００６１】
このような構成であれば、廃棄物処理義務者の更新を行う場合は、廃棄対象物に付されている非接触型タグからタグ情報読取手段でタグ情報を読み取るとともに、第１義務者情報および第２義務者情報を義務者情報入力手段から入力する。この読取および入力により、義務者情報記憶手段の義務者情報のうち読み取られたタグ情報に対応するものと、入力された第１義務者情報とが所定関係を満たしていると、義務者情報登録手段により、入力された第２義務者情報が、義務者情報記憶手段の義務者情報のうち読み取られたタグ情報に対応するものに代えてまたは加えて義務者情報記憶手段に登録される。
【００６２】
これにより、廃棄物処理義務者の更新を行うには、廃棄物処理義務者として新たに登録しようとする者に関する第２義務者情報のほかに、廃棄物処理義務者として現在登録されている者に関する第１義務者情報を入力する必要があるので、廃棄物処理義務者の更新を比較的高い信頼性をもって行うことができる。したがって、廃棄物処理義務者の管理をさらに確実に行うことができるという効果も得られる。
【００６３】
ここで、所定関係を満たすこととしては、例えば、照合対象の情報と被照合対象の情報とが一致していること、照合対象の情報を用いて所定演算式により演算を行った結果が被照合対象の情報と一致していること、または照合対象の情報を用いて所定演算式により演算を行った結果と被照合対象の情報を用いて所定演算式により演算を行った結果が一致することが挙げられる。以下、発明２６の廃棄物処理義務者管理システムにおいて同じである。
【００６４】
〔発明２１〕  さらに、発明２１の廃棄物処理義務者管理システムは、
廃棄物を処理すべき廃棄物処理義務者に関する義務者情報を登録する義務者情報登録端末と、前記義務者情報の登録を要求する義務者情報登録要求端末とを通信可能に接続し、前記廃棄物処理義務者を管理する廃棄物処理義務者管理システムであって、
タグ情報を記憶可能でかつ当該タグ情報を非接触で読取可能な非接触型タグを、廃棄物の対象となり得る廃棄対象物に付しておき、
前記義務者情報登録要求端末は、前記非接触型タグから前記タグ情報を非接触で読み取るタグ情報読取手段と、前記廃棄物処理義務者を識別するための義務者識別情報を入力する義務者識別情報入力手段とを有し、前記義務者識別情報入力手段で入力した義務者識別情報および前記タグ情報読取手段で読み取ったタグ情報を前記義務者情報登録端末に送信するようになっており、
前記義務者情報登録端末は、前記廃棄物処理義務者の身元を示す義務者身元情報を前記義務者識別情報と対応付けて記憶する義務者身元情報記憶手段と、前記義務者識別情報を記憶する義務者識別情報記憶手段と、前記義務者識別情報を前記タグ情報と対応付けて前記義務者識別情報記憶手段に登録する義務者識別情報登録手段とを有し、前記義務者識別情報および前記タグ情報を受信したときは、受信した義務者識別情報およびタグ情報に基づいて前記義務者識別情報登録手段による登録を行うようになっており、
前記義務者識別情報登録手段は、受信した義務者識別情報と対応する義務者身元情報が前記義務者身元情報記憶手段に記憶されていると判定したときは、受信した義務者識別情報を、受信したタグ情報と対応付けて前記義務者識別情報記憶手段に登録するようになっていることを特徴とする。
【００６５】
このような構成であれば、廃棄物処理義務者の登録を行う場合は、義務者情報登録要求端末において、廃棄対象物に付されている非接触型タグからタグ情報読取手段でタグ情報を読み取るとともに、廃棄物処理義務者を識別するための義務者識別情報を義務者識別情報入力手段から入力する。
義務者情報登録要求端末では、タグ情報の読取および義務者識別情報の入力が行われると、入力された義務者識別情報および読み取られたタグ情報が義務者情報登録端末に送信される。
【００６６】
義務者情報登録端末では、義務者識別情報およびタグ情報を受信すると、義務者識別情報登録手段により、受信した義務者識別情報と対応する義務者身元情報が義務者身元情報記憶手段に記憶されているか否かが判定される。その結果、記憶されていると判定されると、受信した義務者識別情報が、受信したタグ情報と対応付けられて義務者識別情報記憶手段に登録される。
【００６７】
これにより、非接触型タグが付されている廃棄対象物が不法投棄された場合は、その廃棄対象物に付されている非接触型タグからタグ情報を読み取って義務者識別情報記憶手段の登録内容と照合することにより、廃棄物処理義務者を特定できる可能性がある。また、非接触による検出を行うことから、非接触型タグが故意または偶発的に取り除かれる可能性が少ない。したがって、従来に比して、廃棄物処理義務者の管理を比較的容易かつ確実に行うことができるという効果が得られる。さらに、義務者身元情報記憶手段に身元が登録されている者にしか登録適格が与えられていないので、身元不明者による登録を防止することができ、廃棄物処理義務者の管理をさらに確実に行うことができるという効果も得られる。
【００６８】
ここで、義務者識別情報は、廃棄物処理義務者を識別するための情報であって、これには、例えば、数値、文字その他の記号からなる義務者ＩＤ、または廃棄物処理義務者の生体特徴を示す生体情報が含まれる。以下、発明２３および２５の廃棄物処理義務者管理システム、発明２８の義務者情報登録要求端末、発明２９および３０の義務者情報登録端末、発明３２の廃棄物処理義務者管理プログラム、並びに発明３３ないし３５の端末用プログラムにおいて同じである。
【００６９】
また、義務者身元情報記憶手段は、義務者身元情報をあらゆる手段でかつあらゆる時期に記憶するものであり、義務者身元情報をあらかじめ記憶してあるものであってもよいし、義務者身元情報をあらかじめ記憶することなく、本システムの動作時に外部からの入力等によって義務者身元情報を記憶するようになっていてもよい。また、義務者身元情報記憶手段は、非接触型タグとは別に構成してもよいし、非接触型タグの内蔵メモリとして構成してもよい。これらのことは、義務者識別情報記憶手段に義務者識別情報またはタグ情報を記憶する場合についても同様である。以下、発明２９の義務者情報登録端末において同じである。
【００７０】
〔発明２２〕  さらに、発明２２の廃棄物処理義務者管理システムは、発明２１の廃棄物処理義務者管理システムにおいて、
前記義務者情報登録要求端末は、出力手段と、前記廃棄物処理義務者の更新を行うために必要な登録更新ＩＤを入力する登録更新ＩＤ入力手段とを有し、前記廃棄物処理義務者の登録を行う場合は、前記義務者識別情報入力手段で入力した義務者識別情報および前記タグ情報読取手段で読み取ったタグ情報を登録要求とともに前記義務者情報登録端末に送信し、その送信により前記登録更新ＩＤを受信したときは、受信した登録更新ＩＤを前記出力手段に出力する一方、前記廃棄物処理義務者の更新を行う場合は、前記廃棄物処理義務者として現在登録されている者に関する登録更新ＩＤを前記登録更新ＩＤ入力手段から入力し、前記廃棄物処理義務者として新たに登録しようとする者に関する義務者識別情報を前記義務者識別情報入力手段から入力し、前記登録更新ＩＤ入力手段で入力した登録更新ＩＤ、前記義務者識別情報入力手段で入力した義務者識別情報および前記タグ情報読取手段で読み取ったタグ情報を更新要求とともに前記義務者情報登録端末に送信し、その送信により前記登録更新ＩＤを受信したときは、受信した登録更新ＩＤを前記出力手段に出力するようになっており、
前記義務者情報登録端末は、前記義務者識別情報および前記タグ情報に基づいて前記登録更新ＩＤを生成する登録更新ＩＤ生成手段を有し、前記登録要求とともに前記義務者識別情報および前記タグ情報を受信したときは、受信した義務者識別情報およびタグ情報に基づいて前記登録更新ＩＤ生成手段による生成および前記義務者識別情報登録手段による登録を行い、前記登録更新ＩＤ生成手段で生成した登録更新ＩＤを前記義務者情報登録要求端末に送信する一方、前記更新要求とともに前記登録更新ＩＤ、前記義務者識別情報および前記タグ情報を受信したときは、受信した義務者識別情報およびタグ情報に基づいて前記登録更新ＩＤ生成手段による生成を行い、受信した登録更新ＩＤ、義務者識別情報およびタグ情報に基づいて前記義務者識別情報登録手段による更新を行い、前記登録更新ＩＤ生成手段で生成した登録更新ＩＤを前記義務者情報登録要求端末に送信するようになっており、
前記義務者識別情報登録手段は、前記登録要求を受信した場合は、受信した義務者識別情報と対応する義務者身元情報が前記義務者身元情報記憶手段に記憶されていると判定したときは、受信した義務者識別情報を、受信したタグ情報および前記登録更新ＩＤ生成手段で生成した登録更新ＩＤと対応付けて前記義務者識別情報記憶手段に登録する一方、前記更新要求を受信した場合は、前記義務者識別情報記憶手段の登録更新ＩＤのうち受信したタグ情報に対応するものと、受信した登録更新ＩＤとが同一であると判定したときは、受信した義務者識別情報を、前記義務者識別情報記憶手段の義務者識別情報のうち受信したタグ情報に対応するものに代えてまたは加えて前記義務者識別情報記憶手段に登録するようになっていることを特徴とする。
【００７１】
このような構成であれば、廃棄物処理義務者の登録を行う場合は、義務者情報登録要求端末において、廃棄対象物に付されている非接触型タグからタグ情報読取手段でタグ情報を読み取るとともに、義務者識別情報を義務者識別情報入力手段から入力する。
義務者情報登録要求端末では、タグ情報の読取および義務者識別情報の入力が行われると、入力された義務者識別情報および読み取られたタグ情報が登録要求とともに義務者情報登録端末に送信される。
【００７２】
義務者情報登録端末では、登録要求とともに義務者識別情報およびタグ情報を受信すると、登録更新ＩＤ生成手段により、受信した義務者識別情報およびタグ情報に基づいて登録更新ＩＤが生成される。そして、義務者識別情報登録手段により、受信した義務者識別情報と対応する義務者身元情報が義務者身元情報記憶手段に記憶されているか否かが判定される。その結果、記憶されていると判定されると、受信した義務者識別情報が、受信したタグ情報および生成された登録更新ＩＤと対応付けられて義務者識別情報記憶手段に登録される。また、生成された登録更新ＩＤが義務者情報登録要求端末に送信される。
【００７３】
義務者情報登録要求端末では、登録更新ＩＤを受信すると、受信した登録更新ＩＤが出力手段に出力される。この登録更新ＩＤは、廃棄物処理義務者の更新を行う場合に用いられるので、廃棄物処理義務者は、出力により取得した登録更新ＩＤを必要な時まで保管する。
一方、廃棄物処理義務者の更新を行う場合は、義務者情報登録要求端末において、廃棄対象物に付されている非接触型タグからタグ情報読取手段でタグ情報を読み取るとともに、登録更新ＩＤを登録更新ＩＤ入力手段から、義務者識別情報を義務者識別情報入力手段からそれぞれ入力する。登録更新ＩＤの入力は、廃棄物処理義務者として現在登録されている者が直接行うか、その者から登録更新ＩＤを知得して、廃棄物処理義務者として新たに登録しようとする者が行う。
【００７４】
義務者情報登録要求端末では、タグ情報の読取並びに登録更新ＩＤおよび義務者識別情報の入力が行われると、入力された登録更新ＩＤおよび義務者識別情報並びに読み取られたタグ情報が更新要求とともに義務者情報登録端末に送信される。
義務者情報登録端末では、更新要求とともに登録更新ＩＤ、義務者識別情報およびタグ情報を受信すると、登録更新ＩＤ生成手段により、受信した義務者識別情報およびタグ情報に基づいて登録更新ＩＤが生成される。そして、義務者識別情報登録手段により、義務者識別情報記憶手段の登録更新ＩＤのうち受信したタグ情報に対応するものと、受信した登録更新ＩＤとが同一であるか否かが判定される。その結果、同一であると判定されると、受信した義務者識別情報が、義務者識別情報記憶手段の義務者識別情報のうち受信したタグ情報に対応するものに代えてまたは加えて義務者識別情報記憶手段に登録される。また、生成された登録更新ＩＤが義務者情報登録要求端末に送信される。
【００７５】
義務者情報登録要求端末では、登録更新ＩＤを受信すると、受信した登録更新ＩＤが出力手段に出力される。
これにより、廃棄物処理義務者の更新を行うには、廃棄物処理義務者として新たに登録しようとする者に関する義務者識別情報のほかに、廃棄物処理義務者として現在登録されている者に関する登録更新ＩＤを入力する必要があるので、廃棄物処理義務者の更新を比較的高い信頼性をもって行うことができる。したがって、廃棄物処理義務者の管理をさらに確実に行うことができるという効果も得られる。さらに、更新時においては、廃棄物処理義務者として現在登録されている者に関する情報として、義務者識別情報ではなく登録更新ＩＤを用いるので、義務者識別情報が盗用されて他者により登録が行われる可能性を低減することもできるという効果も得られる。
【００７６】
ここで、出力手段は、例えば、ＣＲＴ等の表示手段、スピーカ等の音声出力手段、プリンタ等の印刷手段、ＦＤＤ等の情報書込手段、若しくはモデム等の通信手段であってもよく、またはこれらの手段に登録更新ＩＤを出力するための処理であってもよい。以下、発明２４の廃棄物処理義務者管理システムにおいて同じである。
【００７７】
〔発明２３〕  さらに、発明２３の廃棄物処理義務者管理システムは、
廃棄物を処理すべき廃棄物処理義務者に関する義務者情報を登録する義務者情報登録端末と、前記義務者情報の登録を要求する義務者情報登録要求端末とを通信可能に接続し、前記廃棄物処理義務者を管理する廃棄物処理義務者管理システムであって、
タグ情報を記憶可能でかつ当該タグ情報を非接触で読取可能な非接触型タグを、廃棄物の対象となり得る廃棄対象物に付しておき、
前記義務者情報登録要求端末は、前記非接触型タグから前記タグ情報を非接触で読み取るタグ情報読取手段と、前記廃棄物処理義務者を識別するための義務者識別情報を入力する義務者識別情報入力手段とを有し、前記義務者識別情報入力手段で入力した義務者識別情報および前記タグ情報読取手段で読み取ったタグ情報を前記義務者情報登録端末に送信するようになっており、
前記義務者情報登録端末は、前記義務者識別情報を記憶する義務者識別情報記憶手段と、前記義務者識別情報を前記タグ情報と対応付けて前記義務者識別情報記憶手段に登録する義務者識別情報登録手段とを有し、前記義務者識別情報および前記タグ情報を受信したときは、受信した義務者識別情報およびタグ情報に基づいて前記義務者識別情報登録手段による登録を行うようになっており、
前記義務者識別情報登録手段は、受信した義務者識別情報を、受信したタグ情報と対応付けて前記義務者識別情報記憶手段に登録するようになっていることを特徴とする。
【００７８】
このような構成であれば、廃棄物処理義務者の登録を行う場合は、義務者情報登録要求端末において、廃棄対象物に付されている非接触型タグからタグ情報読取手段でタグ情報を読み取るとともに、廃棄物処理義務者を識別するための義務者識別情報を義務者識別情報入力手段から入力する。
義務者情報登録要求端末では、タグ情報の読取および義務者識別情報の入力が行われると、入力された義務者識別情報および読み取られたタグ情報が義務者情報登録端末に送信される。
【００７９】
義務者情報登録端末では、義務者識別情報およびタグ情報を受信すると、義務者識別情報登録手段により、受信した義務者識別情報が、受信したタグ情報と対応付けられて義務者識別情報記憶手段に登録される。
これにより、非接触型タグが付されている廃棄対象物が不法投棄された場合は、その廃棄対象物に付されている非接触型タグからタグ情報を読み取って義務者識別情報記憶手段の登録内容と照合することにより、廃棄物処理義務者を特定できる可能性がある。また、非接触による検出を行うことから、非接触型タグが故意または偶発的に取り除かれる可能性が少ない。したがって、従来に比して、廃棄物処理義務者の管理を比較的容易かつ確実に行うことができるという効果が得られる。
【００８０】
ここで、義務者識別情報記憶手段は、義務者識別情報またはタグ情報をあらゆる手段でかつあらゆる時期に記憶するものであり、義務者識別情報またはタグ情報をあらかじめ記憶してあるものであってもよいし、義務者識別情報またはタグ情報をあらかじめ記憶することなく、本システムの動作時に外部からの入力等によって義務者識別情報またはタグ情報を記憶するようになっていてもよい。また、義務者識別情報記憶手段は、非接触型タグとは別に構成してもよいし、非接触型タグの内蔵メモリとして構成してもよい。以下、発明３０の義務者情報登録端末において同じである。
【００８１】
〔発明２４〕  さらに、発明２４の廃棄物処理義務者管理システムは、発明２３の廃棄物処理義務者管理システムにおいて、
前記義務者情報登録要求端末は、前記廃棄物処理義務者の登録を行う場合は、前記義務者識別情報入力手段で入力した義務者識別情報および前記タグ情報読取手段で読み取ったタグ情報を登録要求とともに前記義務者情報登録端末に送信する一方、前記廃棄物処理義務者の更新を行う場合は、前記廃棄物処理義務者として現在登録されている者に関する第１義務者識別情報、および前記廃棄物処理義務者として新たに登録しようとする者に関する第２義務者識別情報を前記義務者識別情報入力手段から入力し、前記義務者識別情報入力手段で入力した第１義務者識別情報および第２義務者識別情報並びに前記タグ情報読取手段で読み取ったタグ情報を更新要求とともに前記義務者情報登録端末に送信するようになっており、
前記義務者識別情報登録手段は、前記登録要求とともに前記義務者識別情報および前記タグ情報を受信した場合は、受信した義務者識別情報を、受信したタグ情報と対応付けて前記義務者識別情報記憶手段に登録する一方、前記更新要求とともに前記第１義務者識別情報、前記第２義務者識別情報および前記タグ情報を受信した場合は、前記義務者識別情報記憶手段の義務者識別情報のうち受信したタグ情報に対応するものと、受信した第１義務者識別情報とが同一であると判定したときは、受信した第２義務者識別情報を、前記義務者識別情報記憶手段の義務者識別情報のうち受信したタグ情報に対応するものに代えてまたは加えて前記義務者識別情報記憶手段に登録するようになっていることを特徴とする。
【００８２】
このような構成であれば、廃棄物処理義務者の登録を行う場合は、義務者情報登録要求端末において、廃棄対象物に付されている非接触型タグからタグ情報読取手段でタグ情報を読み取るとともに、義務者識別情報を義務者識別情報入力手段から入力する。
義務者情報登録要求端末では、タグ情報の読取および義務者識別情報の入力が行われると、入力された義務者識別情報および読み取られたタグ情報が登録要求とともに義務者情報登録端末に送信される。
【００８３】
義務者情報登録端末では、登録要求とともに義務者識別情報およびタグ情報を受信すると、義務者識別情報登録手段により、受信した義務者識別情報が、受信したタグ情報と対応付けられて義務者識別情報記憶手段に登録される。
一方、廃棄物処理義務者の更新を行う場合は、義務者情報登録要求端末において、廃棄対象物に付されている非接触型タグからタグ情報読取手段でタグ情報を読み取るとともに、第１義務者識別情報および第２義務者識別情報を義務者識別情報入力手段から入力する。第１義務者識別情報の入力は、廃棄物処理義務者として現在登録されている者が直接行うか、その者から義務者識別情報を知得して、廃棄物処理義務者として新たに登録しようとする者が行う。
【００８４】
義務者情報登録要求端末では、タグ情報の読取並びに第１義務者識別情報および第２義務者識別情報の入力が行われると、入力された第１義務者識別情報および第２義務者識別情報並びに読み取られたタグ情報が更新要求とともに義務者情報登録端末に送信される。
義務者情報登録端末では、更新要求とともに第１義務者識別情報、第２義務者識別情報およびタグ情報を受信すると、義務者識別情報登録手段により、義務者識別情報記憶手段の義務者識別情報のうち受信したタグ情報に対応するものと、受信した第１義務者識別情報とが同一であるか否かが判定される。その結果、同一であると判定されると、受信した第２義務者識別情報が、義務者識別情報記憶手段の義務者識別情報のうち受信したタグ情報に対応するものに代えてまたは加えて義務者識別情報記憶手段に登録される。
したがって、廃棄物処理義務者の更新を行うには、廃棄物処理義務者として新たに登録しようとする者に関する義務者識別情報のほかに、廃棄物処理義務者として現在登録されている者に関する義務者識別情報を入力する必要がある。
【００８５】
〔発明２５〕  さらに、発明２５の廃棄物処理義務者管理システムは、
廃棄物を処理すべき廃棄物処理義務者を管理する廃棄物処理義務者管理システムであって、
前記廃棄物処理義務者を識別するための義務者識別情報を記憶可能でかつ当該義務者識別情報を非接触で読取可能な非接触型タグを、廃棄物の対象となり得る廃棄対象物に付しておき、
前記義務者識別情報を入力する義務者識別情報入力手段と、前記非接触型タグのタグ情報を非接触で書き換えるタグ情報書換手段と、前記義務者識別情報入力手段で入力した義務者識別情報を前記タグ情報書換手段により前記非接触型タグに登録する義務者識別情報登録手段とを備えることを特徴とする。
【００８６】
このような構成であれば、廃棄物処理義務者の登録を行う場合は、廃棄物処理義務者を識別するための義務者識別情報を義務者識別情報入力手段から入力する。義務者識別情報の入力が行われると、義務者識別情報登録手段により、入力された義務者識別情報がタグ情報書換手段により非接触型タグに登録される。
これにより、非接触型タグが付されている廃棄対象物が不法投棄された場合は、その廃棄対象物に付されている非接触型タグから義務者識別情報を読み取ることにより、廃棄物処理義務者を特定できる可能性がある。また、非接触による検出を行うことから、非接触型タグが故意または偶発的に取り除かれる可能性が少ない。したがって、従来に比して、廃棄物処理義務者の管理を比較的容易かつ確実に行うことができるという効果が得られる。
【００８７】
〔発明２６〕  さらに、発明２６の廃棄物処理義務者管理システムは、発明２５の廃棄物処理義務者管理システムにおいて、
前記義務者識別情報を前記非接触型タグから非接触で読み取る義務者識別情報読取手段を備え、
前記義務者識別情報登録手段は、前記廃棄物処理義務者の更新を行う場合は、前記廃棄物処理義務者として現在登録されている者に関する第１義務者識別情報と、前記廃棄物処理義務者として新たに登録しようとする者に関する第２義務者識別情報とを前記義務者識別情報入力手段から入力し、
前記義務者識別情報読取手段で読み取った義務者識別情報と、前記義務者識別情報入力手段で入力した第１義務者識別情報とが所定関係を満たしているときは、前記義務者識別情報入力手段で入力した第２義務者識別情報を、前記タグ情報書換手段により前記非接触型タグの義務者識別情報に代えてまたは加えて登録するようになっていることを特徴とする。
【００８８】
このような構成であれば、廃棄物処理義務者の更新を行う場合は、廃棄対象物に付されている非接触型タグから義務者識別情報読取手段で義務者識別情報を読み取るとともに、第１義務者識別情報および第２義務者識別情報を義務者識別情報入力手段から入力する。この読取および入力により、読み取られた義務者識別情報と、入力された第１義務者識別情報とが所定関係を満たしていると、義務者識別情報登録手段により、入力された第２義務者識別情報が、タグ情報書換手段により非接触型タグの義務者識別情報に代えてまたは加えて登録される。
【００８９】
これにより、廃棄物処理義務者の更新を行うには、廃棄物処理義務者として新たに登録しようとする者に関する第２義務者識別情報のほかに、廃棄物処理義務者として現在登録されている者に関する第１義務者識別情報を入力する必要があるので、廃棄物処理義務者の更新を比較的高い信頼性をもって行うことができる。したがって、廃棄物処理義務者の管理をさらに確実に行うことができるという効果も得られる。
【００９０】
〔発明２７〕  さらに、発明２７の廃棄物処理義務者管理システムは、発明１９ないし２６のいずれか１の廃棄物処理義務者管理システムにおいて、
前記廃棄対象物には、複数の前記非接触型タグを付するようにしたことを特徴とする。
このような構成であれば、廃棄対象物には、複数の非接触型タグが付されているので、非接触型タグが故意または偶発的に取り除かれる可能性がさらに少なくなる。
これにより、廃棄物処理義務者の管理をさらに確実に行うことができるという効果も得られる。
ここで、非接触型タグは、廃棄対象物に複数付してあればよいが、廃棄対象物から非接触型タグを不正に除去するのを防止する観点からは、廃棄対象物の不規則な位置に付することが好ましく、さらには、各廃棄対象物ごとに異なる位置に付することが好ましい。
【００９１】
〔発明２８〕  一方、上記目的を達成するために、発明２８の義務者情報登録要求端末は、
発明２１および２３のいずれかの物品取扱者管理システムにおける義務者情報登録端末と通信可能に接続する義務者情報登録要求端末であって、
前記非接触型タグから前記タグ情報を非接触で読み取るタグ情報読取手段と、前記廃棄物処理義務者を識別するための義務者識別情報を入力する義務者識別情報入力手段とを備え、
前記義務者識別情報入力手段で入力した義務者識別情報および前記タグ情報読取手段で読み取ったタグ情報を前記義務者情報登録端末に送信するようになっていることを特徴とする。
このような構成であれば、発明２１および２３のいずれかの物品取扱者管理システムにおける義務者情報登録要求端末と同等の作用が得られる。したがって、発明２１および２３のいずれかの物品取扱者管理システムと同等の効果が得られる。
【００９２】
〔発明２９〕  一方、上記目的を達成するために、発明２９の義務者情報登録端末は、
発明２１の物品取扱者管理システムにおける義務者情報登録要求端末と通信可能に接続する義務者情報登録端末であって、
前記廃棄物処理義務者の身元を示す義務者身元情報を前記義務者識別情報と対応付けて記憶する義務者身元情報記憶手段と、前記義務者識別情報を記憶する義務者識別情報記憶手段と、前記義務者識別情報を前記タグ情報と対応付けて前記義務者識別情報記憶手段に登録する義務者識別情報登録手段とを備え、
前記義務者識別情報および前記タグ情報を受信したときは、受信した義務者識別情報およびタグ情報に基づいて前記義務者識別情報登録手段による登録を行うようになっており、
前記義務者識別情報登録手段は、受信した義務者識別情報と対応する義務者身元情報が前記義務者身元情報記憶手段に記憶されていると判定したときは、受信した義務者識別情報を、受信したタグ情報と対応付けて前記義務者識別情報記憶手段に登録するようになっていることを特徴とする。
このような構成であれば、発明２１の物品取扱者管理システムにおける義務者情報登録端末と同等の作用が得られる。したがって、発明２１の物品取扱者管理システムと同等の効果が得られる。
【００９３】
〔発明３０〕  さらに、発明３０の義務者情報登録端末は、
発明２３の物品取扱者管理システムにおける義務者情報登録要求端末と通信可能に接続する義務者情報登録端末であって、
前記義務者識別情報を記憶する義務者識別情報記憶手段と、前記義務者識別情報を前記タグ情報と対応付けて前記義務者識別情報記憶手段に登録する義務者識別情報登録手段とを備え、
前記義務者識別情報および前記タグ情報を受信したときは、受信した義務者識別情報およびタグ情報に基づいて前記義務者識別情報登録手段による登録を行うようになっており、
前記義務者識別情報登録手段は、受信した義務者識別情報を、受信したタグ情報と対応付けて前記義務者識別情報記憶手段に登録するようになっていることを特徴とする。
このような構成であれば、発明２３の物品取扱者管理システムにおける義務者情報登録端末と同等の作用が得られる。したがって、発明２３の物品取扱者管理システムと同等の効果が得られる。
【００９４】
〔発明３１〕  一方、上記目的を達成するために、発明３１の廃棄物処理義務者管理プログラムは、
廃棄物を処理すべき廃棄物処理義務者を管理する廃棄物処理義務者管理プログラムであって、
タグ情報を記憶可能でかつ当該タグ情報を非接触で読取可能な非接触型タグを、廃棄物の対象となり得る廃棄対象物に付しておき、
前記非接触型タグから前記タグ情報を非接触で読み取るタグ情報読取手段と、前記廃棄物処理義務者に関する義務者情報を入力する義務者情報入力手段と、前記義務者情報を記憶する義務者情報記憶手段とを備えるコンピュータに対して、
前記義務者情報入力手段で入力した義務者情報を前記タグ情報読取手段で読み取ったタグ情報と対応付けて前記義務者情報記憶手段に登録する義務者情報登録手段として実現される処理を実行させるためのプログラムであることを特徴とする。
このような構成であれば、コンピュータによってプログラムが読み取られ、読み取られたプログラムに従ってコンピュータが処理を実行すると、発明１９の物品取扱者管理システムと同等の作用および効果が得られる。
【００９５】
〔発明３２〕  さらに、発明３２の廃棄物処理義務者管理プログラムは、
廃棄物を処理すべき廃棄物処理義務者を管理する廃棄物処理義務者管理プログラムであって、
前記廃棄物処理義務者を識別するための義務者識別情報を記憶可能でかつ当該義務者識別情報を非接触で読取可能な非接触型タグを、廃棄物の対象となり得る廃棄対象物に付しておき、
前記義務者識別情報を入力する義務者識別情報入力手段と、前記非接触型タグのタグ情報を非接触で書き換えるタグ情報書換手段とを備えるコンピュータに対して、
前記義務者識別情報入力手段で入力した義務者識別情報を前記タグ情報書換手段により前記非接触型タグに登録する義務者識別情報登録手段として実現される処理を実行させるためのプログラムであることを特徴とする。
このような構成であれば、コンピュータによってプログラムが読み取られ、読み取られたプログラムに従ってコンピュータが処理を実行すると、発明２５の物品取扱者管理システムと同等の作用および効果が得られる。
【００９６】
〔発明３３〕  一方、上記目的を達成するために、発明３３の端末用プログラムは、
コンピュータからなる発明２８の取扱者情報登録要求端末に実行させるための端末用プログラムであって、
前記義務者識別情報入力手段で入力した義務者識別情報および前記タグ情報読取手段で読み取ったタグ情報を前記義務者情報登録端末に送信する処理を実行させるためのプログラムであることを特徴とする。
このような構成であれば、取扱者情報登録要求端末によってプログラムが読み取られ、読み取られたプログラムに従って取扱者情報登録要求端末が処理を実行すると、発明２８の取扱者情報登録要求端末と同等の作用および効果が得られる。
【００９７】
〔発明３４〕  さらに、発明３４の端末用プログラムは、
コンピュータからなる発明２９の取扱者情報登録端末に実行させるための端末用プログラムであって、
前記義務者識別情報および前記タグ情報を受信した場合は、受信した義務者識別情報と対応する義務者身元情報が前記義務者身元情報記憶手段に記憶されていると判定したときは、受信した義務者識別情報を、受信したタグ情報と対応付けて前記義務者識別情報記憶手段に登録する処理を実行させるためのプログラムであることを特徴とする。
このような構成であれば、取扱者情報登録端末によってプログラムが読み取られ、読み取られたプログラムに従って取扱者情報登録端末が処理を実行すると、発明２９の取扱者情報登録端末と同等の作用および効果が得られる。
【００９８】
〔発明３５〕  さらに、発明３５の端末用プログラムは、
コンピュータからなる発明３０の取扱者情報登録端末に実行させるための端末用プログラムであって、
前記義務者識別情報および前記タグ情報を受信したときは、受信した義務者識別情報を、受信したタグ情報と対応付けて前記義務者識別情報記憶手段に登録する処理を実行させるためのプログラムであることを特徴とする。
このような構成であれば、取扱者情報登録端末によってプログラムが読み取られ、読み取られたプログラムに従って取扱者情報登録端末が処理を実行すると、発明３０の取扱者情報登録端末と同等の作用および効果が得られる。
【００９９】
〔発明３６〕  一方、上記目的を達成するために、発明３６の廃棄物処理義務者管理方法は、
廃棄物を処理すべき廃棄物処理義務者を管理する廃棄物処理義務者管理方法であって、
タグ情報を記憶可能でかつ当該タグ情報を非接触で読取可能な非接触型タグを、廃棄物の対象となり得る廃棄対象物に付しておき、
前記非接触型タグから前記タグ情報を非接触で読み取るタグ情報読取ステップと、前記廃棄物処理義務者に関する義務者情報を入力する義務者情報入力ステップと、前記義務者情報入力ステップで入力した義務者情報を前記タグ情報読取ステップで読み取ったタグ情報と対応付けて義務者情報記憶手段に登録する義務者情報登録ステップとを含むことを特徴とする。
これにより、発明１９の物品取扱者管理システムと同等の効果が得られる。
【発明を実施するための最良の形態】
【０１００】
以下、本発明の第１の実施の形態を図面を参照しながら説明する。図１ないし図８は、本発明に係る物品取扱者管理システム、取扱者情報登録要求端末、取扱者情報登録端末、物品取扱者管理プログラムおよび端末用プログラム、並びに物品取扱者管理方法の第１の実施の形態を示す図である。
本実施の形態は、本発明に係る物品取扱者管理システム、取扱者情報登録要求端末、取扱者情報登録端末、物品取扱者管理プログラムおよび端末用プログラム、並びに物品取扱者管理方法を、図１に示すように、複数のＲＦＩＤ（Radio Frequency IDentification）非接触型ＩＣタグ１０２を廃棄対象物１００に埋め込み、ＲＦＩＤ非接触型ＩＣタグ１０２から非接触でタグ情報を読み取り、義務者ＩＤをタグ情報と対応付けて登録することにより廃棄物処理義務者を管理する場合について適用したものである。
【０１０１】
まず、本発明を適用するシステムの構成を図１を参照しながら詳細に説明する。図１は、本発明を適用するシステムの構成を示す機能ブロック図である。
本発明に係るシステムは、図１に示すように、複数のＲＦＩＤ非接触型ＩＣタグ１０２を埋め込んだ廃棄対象物１００と、廃棄対象物１００に埋め込まれたＲＦＩＤ非接触型ＩＣタグ１０２からタグ情報を非接触で読み取る登録要求端末２００と、登録要求端末２００からの登録要求に応じて廃棄物処理義務者に関する義務者情報を登録する登録サーバ３００とで構成されている。
【０１０２】
次に、廃棄対象物１００の構成を詳細に説明する。
廃棄対象物１００には、図１に示すように、複数のＲＦＩＤ非接触型ＩＣタグ１０２が埋め込まれている。ＲＦＩＤ非接触型ＩＣタグ１０２は、タグ情報を記憶した内蔵メモリを有し、内蔵メモリのタグ情報を非接触で読取可能となっている。
内蔵メモリは、図２に示すように、廃棄対象物１００の製造者を記憶した記憶領域４００と、廃棄対象物１００の種類を記憶した記憶領域４０２と、廃棄対象物１００の製造番号を記憶した記憶領域４０４と、更新可能な情報を記憶した記憶領域４０６とをタグ情報の記憶領域として有している。図２は、ＲＦＩＤ非接触型ＩＣタグ１０２の内蔵メモリのデータ構造を示す図である。
【０１０３】
次に、登録要求端末２００の構成を詳細に説明する。
登録要求端末２００は、図１に示すように、ＲＦＩＤ非接触型ＩＣタグ１０２からタグ情報を非接触で読み取るタグ情報読取部２０２と、ＬＣＤ（Liquid Crystal Display）等からなる表示部２０４と、キーパネル等からなる入力部２０６と、登録サーバ３００と無線通信を行う通信部２０８とで構成されている。
【０１０４】
登録要求端末２００は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図３および図４のフローチャートに示す義務者情報登録要求処理および義務者情報更新要求処理を実行するようになっている。
【０１０５】
初めに、義務者情報登録要求処理を図３を参照しながら説明する。図３は、義務者情報登録要求処理を示すフローチャートである。
義務者情報登録要求処理は、登録サーバ３００に対して義務者情報の登録を要求する処理であって、ＣＰＵにおいて実行されると、図３に示すように、まず、ステップＳ１００に移行するようになっている。
【０１０６】
ステップＳ１００では、タグ情報読取部２０２によりＲＦＩＤ非接触型ＩＣタグ１０２からタグ情報を読み取り、ステップＳ１０２に移行して、廃棄物処理義務者を一意に識別するための義務者ＩＤを入力部２０６から入力し、ステップＳ１０４に移行して、入力した義務者ＩＤおよび読み取ったタグ情報を登録要求とともに登録サーバ３００に送信し、ステップＳ１０６に移行する。
【０１０７】
ステップＳ１０６では、登録完了通知を受信したか否かを判定し、登録完了通知を受信したと判定したとき(Yes)は、ステップＳ１０８に移行して、廃棄物処理義務者の更新を行うために必要な登録更新ＩＤを受信し、ステップＳ１１０に移行して、受信した登録更新ＩＤを表示部２０４に表示し、ステップＳ１１２に移行して、廃棄物処理義務者の登録が完了した旨を表示部２０４に表示し、一連の処理を終了して元の処理に復帰させる。
一方、ステップＳ１０６で、登録完了通知を受信しないと判定したとき(No)は、一連の処理を終了して元の処理に復帰させる。
【０１０８】
次に、義務者情報更新要求処理を図４を参照しながら説明する。図４は、義務者情報更新要求処理を示すフローチャートである。
義務者情報更新要求処理は、登録サーバ３００に対して義務者情報の更新を要求する処理であって、ＣＰＵにおいて実行されると、図４に示すように、まず、ステップＳ１５０に移行するようになっている。
【０１０９】
ステップＳ１５０では、タグ情報読取部２０２によりＲＦＩＤ非接触型ＩＣタグ１０２からタグ情報を読み取り、ステップＳ１５２に移行して、廃棄物処理義務者として現在登録されている者に関する登録更新ＩＤを入力部２０６から入力し、ステップＳ１５４に移行して、廃棄物処理義務者として新たに登録しようとする者に関する義務者ＩＤを入力部２０６から入力し、ステップＳ１５６に移行して、入力した登録更新ＩＤおよび義務者ＩＤ並びに読み取ったタグ情報を更新要求とともに登録サーバ３００に送信し、ステップＳ１５８に移行する。
【０１１０】
ステップＳ１５８では、更新完了通知を受信したか否かを判定し、更新完了通知を受信したと判定したとき(Yes)は、ステップＳ１６０に移行して、新たな登録更新ＩＤを受信し、ステップＳ１６２に移行して、受信した登録更新ＩＤを表示部２０４に表示し、ステップＳ１６４に移行して、廃棄物処理義務者の更新が完了した旨を表示部２０４に表示し、一連の処理を終了して元の処理に復帰させる。
一方、ステップＳ１５８で、更新完了通知を受信しないと判定したとき(No)は、一連の処理を終了して元の処理に復帰させる。
【０１１１】
次に、登録サーバ３００の構成を詳細に説明する。
登録サーバ３００は、図１に示すように、登録要求端末２００と無線通信を行う通信部３０２と、廃棄物処理義務者の身元を示す義務者身元情報を登録するための義務者身元情報登録データベース（以下、データベースのことを単にＤＢと略記する。）３０４と、義務者ＩＤを登録するための義務者ＩＤ登録ＤＢ３０６と、義務者身元情報登録ＤＢ３０４または義務者ＩＤ登録ＤＢ３０６のなかから情報を検索するＤＢアクセス部３０８と、義務者ＩＤおよびタグ情報に基づいて登録更新ＩＤを生成する登録更新ＩＤ生成部３１０とで構成されている。
【０１１２】
義務者身元情報登録ＤＢ３０４には、図５に示すように、各廃棄物処理義務者ごとに１つのレコードが登録されている。各レコードは、廃棄物処理義務者になり得る会社の社名を登録するフィールド４２０と、その会社の代表者を登録するフィールド４２２と、その会社に付与された義務者ＩＤを登録するフィールド４２４とを含んで構成されている。図５は、義務者身元情報登録ＤＢ３０４のデータ構造を示す図である。なお、以下、フィールド４２０〜４２２に登録する情報を義務者身元情報という。
【０１１３】
義務者ＩＤ登録ＤＢ３０６には、図６に示すように、各廃棄対象物１００ごとに１つのレコードが登録されている。各レコードは、廃棄対象物１００の製造者を登録するフィールド４４０と、廃棄対象物１００の種類を登録するフィールド４４２と、廃棄対象物１００の製造番号を登録するフィールド４４４と、義務者ＩＤを登録するフィールド４４６と、登録更新ＩＤを登録するフィールド４４８とを含んで構成されている。図６は、義務者ＩＤ登録ＤＢ３０６のデータ構造を示す図である。なお、以下、フィールド４４０〜４４４に登録する情報をタグ情報という。
【０１１４】
また、登録サーバ３００は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図７および図８のフローチャートに示す義務者情報登録処理および義務者情報更新処理を実行するようになっている。
【０１１５】
初めに、義務者情報登録処理を図７を参照しながら説明する。図７は、義務者情報登録処理を示すフローチャートである。
義務者情報登録処理は、登録要求端末２００からの登録要求に応じて義務者情報を登録する処理であって、ＣＰＵにおいて実行されると、図７に示すように、まず、ステップＳ２００に移行するようになっている。
【０１１６】
ステップＳ２００では、登録要求を受信したか否かを判定し、登録要求を受信したと判定したとき(Yes)は、ステップＳ２０２に移行して、義務者ＩＤおよびタグ情報を受信し、ステップＳ２０４に移行して、受信した義務者ＩＤと対応する義務者身元情報を義務者身元情報登録ＤＢ３０４のなかから検索し、ステップＳ２０６に移行する。
ステップＳ２０６では、該当の義務者身分情報が索出されたか否かを判定し、該当の義務者身分情報が索出されたと判定したとき(Yes)は、ステップＳ２０８に移行して、受信した義務者ＩＤおよびタグ情報に基づいて、登録更新ＩＤ生成部３１０により登録更新ＩＤを生成し、ステップＳ２１０に移行する。
【０１１７】
ステップＳ２１０では、受信した義務者ＩＤを、受信したタグ情報および生成した登録更新ＩＤと対応付けて義務者ＩＤ登録ＤＢ３０６に登録し、ステップＳ２１２に移行して、登録完了通知を登録要求端末２００に送信し、ステップＳ２１４に移行して、生成した登録更新ＩＤを登録要求端末２００に送信し、一連の処理を終了して元の処理に復帰させる。
一方、ステップＳ２０４で、該当の義務者身分情報が索出されないと判定したとき(No)、およびステップＳ２００で、登録要求を受信しないと判定したとき(No)はいずれも、一連の処理を終了して元の処理に復帰させる。
【０１１８】
次に、義務者情報更新処理を図８を参照しながら説明する。図８は、義務者情報更新処理を示すフローチャートである。
義務者情報更新処理は、登録要求端末２００からの更新要求に応じて義務者情報を更新する処理であって、ＣＰＵにおいて実行されると、図８に示すように、まず、ステップＳ２５０に移行するようになっている。
ステップＳ２５０では、更新要求を受信したか否かを判定し、登録要求を受信したと判定したとき(Yes)は、ステップＳ２５２に移行して、登録更新ＩＤ、義務者ＩＤおよびタグ情報を受信し、ステップＳ２５４に移行して、受信した義務者ＩＤと対応する義務者身元情報を義務者身元情報登録ＤＢ３０４のなかから検索し、ステップＳ２５６に移行する。
【０１１９】
ステップＳ２５６では、該当の義務者身分情報が索出されたか否かを判定し、該当の義務者身分情報が索出されたと判定したとき(Yes)は、ステップＳ２５８に移行して、受信したタグ情報と同一のタグ情報を義務者ＩＤ登録ＤＢ３０６のなかから検索し、ステップＳ２６０に移行する。
ステップＳ２６０では、該当のタグ情報が索出されたか否かを判定し、該当のタグ情報が索出されたと判定したとき(Yes)は、ステップＳ２６２に移行して、受信した登録更新ＩＤと、索出されたタグ情報に対応付けられた登録更新ＩＤとが同一であるか否かを判定し、それらが同一であると判定したとき(Yes)は、ステップＳ２６４に移行する。
【０１２０】
ステップＳ２６４では、受信した義務者ＩＤおよびタグ情報に基づいて、登録更新ＩＤ生成部３１０により登録更新ＩＤを生成し、ステップＳ２６６に移行して、受信した義務者ＩＤおよび生成した登録更新ＩＤを、索出されたタグ情報に対応付けられた義務者ＩＤおよび登録更新ＩＤに代えて義務者ＩＤ登録ＤＢ３０６に登録し、ステップＳ２６８に移行して、更新完了通知を登録要求端末２００に送信し、ステップＳ２７０に移行して、生成した登録更新ＩＤを登録要求端末２００に送信し、一連の処理を終了して元の処理に復帰させる。
【０１２１】
一方、ステップＳ２６２で、受信した登録更新ＩＤと、索出されたタグ情報に対応付けられた登録更新ＩＤとが同一でないと判定したとき(No)、ステップＳ２６０で、該当のタグ情報が索出されないと判定したとき(No)、ステップＳ２５６で、該当の義務者身分情報が索出されないと判定したとき(No)、およびステップＳ２５０で、更新要求を受信しないと判定したとき(No)はいずれも、一連の処理を終了して元の処理に復帰させる。
【０１２２】
次に、本実施の形態の動作を説明する。
排出事業者が廃棄対象物１００を購入した場合は、排出事業者が廃棄物処理義務者となるので、廃棄対象物１００について廃棄物処理義務者の登録を行う。廃棄物処理義務者の登録は、例えば、販売店において行うことができる。
廃棄物処理義務者の登録を行うには、排出事業者は、登録要求端末２００において、廃棄対象物１００に付されているＲＦＩＤ非接触型ＩＣタグ１０２からタグ情報読取部２０２でタグ情報を読み取るとともに、自己の義務者ＩＤを入力部２０６から入力する。
【０１２３】
登録要求端末２００では、タグ情報の読取および義務者ＩＤの入力が行われると、ステップＳ１０４を経て、入力された義務者ＩＤおよび読み取られたタグ情報が登録要求とともに登録サーバ３００に送信される。
登録サーバ３００では、登録要求とともに義務者ＩＤおよびタグ情報を受信すると、ステップＳ２０４を経て、受信した義務者ＩＤと対応する義務者身元情報が義務者身元情報登録ＤＢ３０４のなかから検索される。その結果、該当の義務者身分情報が索出されると、ステップＳ２０８，Ｓ２１０を経て、受信した義務者ＩＤおよびタグ情報に基づいて、登録更新ＩＤ生成部３１０により登録更新ＩＤが生成され、受信した義務者ＩＤが、受信したタグ情報および生成された登録更新ＩＤと対応付けられて義務者ＩＤ登録ＤＢ３０６に登録される。そして、ステップＳ２１２，Ｓ２１４を経て、登録完了通知が登録要求端末２００に送信され、生成された登録更新ＩＤが登録要求端末２００に送信される。
【０１２４】
登録要求端末２００では、登録完了通知を受信すると、ステップＳ１０８〜Ｓ１１２を経て、登録更新ＩＤを受信し、受信した登録更新ＩＤおよび廃棄物処理義務者の登録が完了した旨が表示部２０４に表示される。この登録更新ＩＤは、廃棄物処理義務者の更新を行う場合に用いられるので、排出事業者は、表示された登録更新ＩＤを必要な時まで保管する。
【０１２５】
したがって、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取って義務者ＩＤ登録ＤＢ３０６の登録内容と照合すれば、廃棄物処理義務者を特定できる可能性がある。また、登録適格は、義務者身元情報登録ＤＢ３０４に身元が登録されている者にしか与えられていないので、身元不明者による登録を防止することができる。
【０１２６】
次に、排出事業者が廃棄対象物１００を廃棄するために、排出事業者が収集運搬業者に廃棄対象物１００を引き渡す場合は、収集運搬業者が新たな廃棄物処理義務者となるので、廃棄対象物１００について廃棄物処理義務者の更新を行う。
廃棄物処理義務者の更新を行うには、収集運搬業者は、登録要求端末２００において、廃棄対象物１００に付されているＲＦＩＤ非接触型ＩＣタグ１０２からタグ情報読取部２０２でタグ情報を読み取るとともに、自己の義務者ＩＤを入力部２０６から入力する。また、タグ情報を読み取った後に、排出事業者は、自己の登録更新ＩＤを入力部２０６から入力する。
登録要求端末２００では、タグ情報の読取並びに登録更新ＩＤおよび義務者ＩＤの入力が行われると、ステップＳ１５６を経て、入力された登録更新ＩＤおよび義務者ＩＤ並びに読み取られたタグ情報が更新要求とともに登録サーバ３００に送信される。
【０１２７】
登録サーバ３００では、更新要求とともに登録更新ＩＤ、義務者ＩＤおよびタグ情報を受信すると、ステップＳ２５４を経て、受信した義務者ＩＤと対応する義務者身元情報が義務者身元情報登録ＤＢ３０４のなかから検索される。その結果、該当の義務者身分情報が索出されると、ステップＳ２５８を経て、受信したタグ情報と同一のタグ情報が義務者ＩＤ登録ＤＢ３０６のなかから検索される。その結果、該当のタグ情報が索出され、さらに、受信した登録更新ＩＤと、索出されたタグ情報に対応付けられた登録更新ＩＤとが同一であると、ステップＳ２６４，Ｓ２６６を経て、受信した義務者ＩＤおよびタグ情報に基づいて、登録更新ＩＤ生成部３１０により登録更新ＩＤが生成され、受信した義務者ＩＤおよび生成された登録更新ＩＤが、索出されたタグ情報に対応付けられた義務者ＩＤおよび登録更新ＩＤに代えて義務者ＩＤ登録ＤＢ３０６に登録される。そして、ステップＳ２６８，Ｓ２７０を経て、更新完了通知が登録要求端末２００に送信され、生成された登録更新ＩＤが登録要求端末２００に送信される。
【０１２８】
登録要求端末２００では、更新完了通知を受信すると、ステップＳ１６０〜Ｓ１６４を経て、登録更新ＩＤを受信し、受信した登録更新ＩＤおよび廃棄物処理義務者の更新が完了した旨が表示部２０４に表示される。この登録更新ＩＤは、廃棄物処理義務者の更新を行う場合に用いられるので、収集運搬業者は、表示された登録更新ＩＤを必要な時まで保管する。
【０１２９】
したがって、廃棄物処理義務者の更新を行うには、廃棄物処理義務者として新たに登録しようとする者に関する義務者ＩＤのほかに、廃棄物処理義務者として現在登録されている者に関する登録更新ＩＤを入力する必要がある。
なお、収集運搬業者が廃棄対象物１００の処分を依頼するために、収集運搬業者が処分業者に廃棄対象物１００を引き渡す場合は、処分業者が新たな廃棄物処理義務者となるので、上記と同じ要領で、廃棄対象物１００について廃棄物処理義務者の更新を行えばよい。
【０１３０】
このようにして、本実施の形態では、登録要求端末２００は、廃棄物処理義務者の登録を行う場合は、入力部２０６で入力した義務者ＩＤおよびタグ情報読取部２０２で読み取ったタグ情報を登録要求とともに登録サーバ３００に送信し、その送信により登録更新ＩＤを受信したときは、受信した登録更新ＩＤを表示部２０４に表示するようになっており、登録サーバ３００は、登録要求を受信した場合は、受信した義務者ＩＤと対応する義務者身元情報が義務者身元情報登録ＤＢ３０４に記憶されていると判定したときは、登録更新ＩＤを生成し、受信した義務者ＩＤを、受信したタグ情報および生成した登録更新ＩＤと対応付けて義務者ＩＤ登録ＤＢ３０６に登録するようになっている。
【０１３１】
これにより、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取って義務者ＩＤ登録ＤＢ３０６の登録内容と照合することにより、廃棄物処理義務者を特定できる可能性がある。また、非接触による検出を行うことから、ＲＦＩＤ非接触型ＩＣタグ１０２が故意または偶発的に取り除かれる可能性が少ない。したがって、従来に比して、廃棄物処理義務者の管理を比較的容易かつ確実に行うことができる。さらに、義務者身元情報登録ＤＢ３０４に身元が登録されている者にしか登録適格が与えられていないので、身元不明者による登録を防止することができ、廃棄物処理義務者の管理をさらに確実に行うことができる。
【０１３２】
さらに、本実施の形態では、登録要求端末２００は、廃棄物処理義務者の更新を行う場合は、廃棄物処理義務者として現在登録されている者に関する登録更新ＩＤ、および廃棄物処理義務者として新たに登録しようとする者に関する義務者ＩＤを入力部２０６から入力し、入力部２０６で入力した登録更新ＩＤおよび義務者ＩＤ並びにタグ情報読取部２０２で読み取ったタグ情報を更新要求とともに登録サーバ３００に送信し、その送信により登録更新ＩＤを受信したときは、受信した登録更新ＩＤを表示部２０４に表示するようになっており、登録サーバ３００は、更新要求を受信した場合は、義務者ＩＤ登録ＤＢ３０６の登録更新ＩＤのうち受信したタグ情報に対応するものと、受信した登録更新ＩＤとが同一であると判定したときは、受信した義務者ＩＤを、義務者ＩＤ登録ＤＢ３０６の義務者ＩＤのうち受信したタグ情報に対応するものに代えて義務者ＩＤ登録ＤＢ３０６に登録するようになっている。
【０１３３】
これにより、廃棄物処理義務者の更新を行うには、廃棄物処理義務者として新たに登録しようとする者に関する義務者ＩＤのほかに、廃棄物処理義務者として現在登録されている者に関する登録更新ＩＤを入力する必要があるので、廃棄物処理義務者の更新を比較的高い信頼性をもって行うことができる。したがって、廃棄物処理義務者の管理をさらに確実に行うことができる。さらに、更新時においては、廃棄物処理義務者として現在登録されている者に関する情報として、義務者ＩＤではなく登録更新ＩＤを用いるので、義務者ＩＤが盗用されて他者により登録が行われる可能性を低減することもできる。
さらに、本実施の形態では、廃棄対象物１００には、複数のＲＦＩＤ非接触型ＩＣタグ１０２を埋め込むようにした。
これにより、ＲＦＩＤ非接触型ＩＣタグ１０２が故意または偶発的に取り除かれる可能性がさらに少なくなるので、廃棄物処理義務者の管理をさらに確実に行うことができる。
【０１３４】
上記第１の実施の形態において、ＲＦＩＤ非接触型ＩＣタグ１０２は、発明１、３、９、１０、１３、１８、１９、２１、２７、２８、３１または３６の非接触型タグに対応し、義務者ＩＤおよび登録更新ＩＤは、発明１ないし３、１３若しくは１８の取扱者情報、または発明１９ないし２１、３１若しくは３６の義務者情報に対応している。また、登録更新ＩＤは、発明２の第１取扱者情報、または発明２０の第１義務者情報に対応し、義務者ＩＤは、発明２の第２取扱者情報、または発明２０の第２義務者情報に対応し、義務者ＩＤは、発明３、４、１０、１１、１５若しくは１６の取扱者識別情報、または発明２１、２２、２８、２９、３３若しくは３４の義務者識別情報に対応している。
【０１３５】
また、上記第１の実施の形態において、登録要求端末２００は、発明３、４、１０、１１、１５若しくは３３の取扱者情報登録要求端末、または発明２１、２２、２８若しくは２９の義務者情報登録要求端末に対応し、タグ情報読取部２０２は、発明１ないし４、１０、１３、１５、１９ないし２２、２８、３１または３３のタグ情報読取手段に対応している。また、タグ情報読取部２０２による読取は、発明１８または３６のタグ情報読取ステップに対応し、表示部２０４は、発明４または２２の出力手段に対応し、入力部２０６は、発明１、２若しくは１３の取扱者情報入力手段、発明３、４、１０若しくは１５の取扱者識別情報入力手段、発明１９、２０若しくは３１の義務者情報入力手段、発明２１、２２、２８若しくは３３の義務者識別情報入力手段、または発明４若しくは２２の登録更新ＩＤ入力手段に対応している。
【０１３６】
また、上記第１の実施の形態において、入力部２０６による入力は、発明１８の取扱者情報入力ステップ、または発明３６の義務者情報入力ステップに対応し、登録サーバ３００は、発明３、４、１０、１１、１５、１６若しくは３４の取扱者情報登録端末、または発明２１、２２、２８、２９若しくは３３の義務者情報登録端末に対応している。また、義務者ＩＤ登録ＤＢ３０６は、発明１、２、１３若しくは１８の取扱者情報記憶手段、または発明１９、２０、３１若しくは３６の義務者情報記憶手段に対応し、義務者身元情報登録ＤＢ３０４は、発明３、４、１１若しくは１６の取扱者身元情報記憶手段、または発明２１、２２、２９若しくは３４の義務者身元情報記憶手段に対応している。
【０１３７】
また、上記第１の実施の形態において、義務者ＩＤ登録ＤＢ３０６は、発明３、４、１１若しくは１６の取扱者識別情報記憶手段、または発明２１、２２、２９若しくは３４の義務者識別情報記憶手段に対応し、ＤＢアクセス部３０８は、発明１、２若しくは１３の取扱者情報登録手段、発明３、４若しくは１１の取扱者識別情報登録手段、発明１９、２０若しくは３１の義務者情報登録手段、または発明２１、２２若しくは２９の義務者識別情報登録手段に対応している。また、ＤＢアクセス部３０８による登録は、発明１８の取扱者情報登録ステップ、または発明３６の義務者情報登録ステップに対応し、登録更新ＩＤ生成部３１０は、発明４または２２の登録更新ＩＤ生成手段に対応している。
【０１３８】
次に、本発明の第２の実施の形態を図面を参照しながら説明する。図９ないし図１３は、本発明に係る物品取扱者管理システム、取扱者情報登録要求端末、取扱者情報登録端末、物品取扱者管理プログラムおよび端末用プログラム、並びに物品取扱者管理方法の第２の実施の形態を示す図である。なお、以下、上記第１の実施の形態と異なる部分についてのみ説明し、重複する部分については同一の符号を付して説明を省略する。
【０１３９】
本実施の形態は、本発明に係る物品取扱者管理システム、取扱者情報登録要求端末、取扱者情報登録端末、物品取扱者管理プログラムおよび端末用プログラム、並びに物品取扱者管理方法を、図９に示すように、廃棄物処理義務者を管理する場合について適用したものであり、上記第１の実施の形態と異なるのは、義務者ＩＤに代えて生体情報を用いる点、および登録更新ＩＤを用いない点にある。
【０１４０】
まず、登録要求端末２００の構成を図９を参照しながら詳細に説明する。図９は、本発明を適用するシステムの構成を示す機能ブロック図である。
登録要求端末２００は、図９に示すように、タグ情報読取部２０２と、表示部２０４と、入力部２０６と、通信部２０８と、廃棄物処理義務者の生体特徴を示す生体情報を入力する生体情報入力部２１０とで構成されている。ここで、生体情報入力部２１０としては、例えば、指紋センサその他のバイオメトリックデバイスを採用することができる。
【０１４１】
また、登録要求端末２００は、ＲＯＭの所定領域に格納されている所定のプログラムを起動させ、そのプログラムに従って、図１０および図１１のフローチャートに示す義務者情報登録要求処理および義務者情報更新要求処理を実行するようになっている。
初めに、義務者情報登録要求処理を図１０を参照しながら説明する。図１０は、義務者情報登録要求処理を示すフローチャートである。
【０１４２】
義務者情報登録要求処理は、ＣＰＵにおいて実行されると、図１０に示すように、まず、ステップＳ３００に移行するようになっている。
ステップＳ３００では、タグ情報読取部２０２によりＲＦＩＤ非接触型ＩＣタグ１０２からタグ情報を読み取り、ステップＳ３０２に移行して、生体情報入力部２１０から生体情報を入力し、ステップＳ３０４に移行して、入力した生体情報および読み取ったタグ情報を登録要求とともに登録サーバ３００に送信し、ステップＳ３０６に移行する。
【０１４３】
ステップＳ３０６では、登録完了通知を受信したか否かを判定し、登録完了通知を受信したと判定したとき(Yes)は、ステップＳ３０８に移行して、廃棄物処理義務者の登録が完了した旨を表示部２０４に表示し、一連の処理を終了して元の処理に復帰させる。
一方、ステップＳ３０６で、登録完了通知を受信しないと判定したとき(No)は、一連の処理を終了して元の処理に復帰させる。
【０１４４】
次に、義務者情報更新要求処理を図１１を参照しながら説明する。図１１は、義務者情報更新要求処理を示すフローチャートである。
義務者情報更新要求処理は、ＣＰＵにおいて実行されると、図１１に示すように、まず、ステップＳ３５０に移行するようになっている。
ステップＳ３５０では、タグ情報読取部２０２によりＲＦＩＤ非接触型ＩＣタグ１０２からタグ情報を読み取り、ステップＳ３５２に移行して、廃棄物処理義務者として現在登録されている者の生体情報（以下、現義務者の生体情報という。）を生体情報入力部２１０から入力し、ステップＳ３５４に移行して、廃棄物処理義務者として新たに登録しようとする者の生体情報（以下、新義務者の生体情報という。）を生体情報入力部２１０から入力し、ステップＳ３５６に移行して、入力した現義務者の生体情報および新義務者の生体情報並びに読み取ったタグ情報を更新要求とともに登録サーバ３００に送信し、ステップＳ３５８に移行する。
【０１４５】
ステップＳ３５８では、更新完了通知を受信したか否かを判定し、更新完了通知を受信したと判定したとき(Yes)は、ステップＳ３６０に移行して、廃棄物処理義務者の更新が完了した旨を表示部２０４に表示し、一連の処理を終了して元の処理に復帰させる。
一方、ステップＳ３５８で、更新完了通知を受信しないと判定したとき(No)は、一連の処理を終了して元の処理に復帰させる。
【０１４６】
次に、登録サーバ３００の構成を詳細に説明する。
登録サーバ３００は、図９に示すように、通信部３０２と、義務者身元情報登録ＤＢ３０４と、生体情報を登録するための生体情報登録ＤＢ３１２と、義務者身元情報登録ＤＢ３０４または生体情報登録ＤＢ３１２のなかから情報を検索するＤＢアクセス部３０８とで構成されている。
【０１４７】
義務者身元情報登録ＤＢ３０４には、図５に示すようなデータ構造において、義務者ＩＤに代えて生体情報が登録されている。また、生体情報登録ＤＢ３１２には、図６に示すようなデータ構造において、義務者ＩＤおよび登録更新ＩＤに代えて生体情報が登録されている。
また、登録サーバ３００は、ＲＯＭの所定領域に格納されている所定のプログラムを起動させ、そのプログラムに従って、図１２および図１３のフローチャートに示す義務者情報登録処理および義務者情報更新処理を実行するようになっている。
【０１４８】
初めに、義務者情報登録処理を図１２を参照しながら説明する。図１２は、義務者情報登録処理を示すフローチャートである。
義務者情報登録処理は、ＣＰＵにおいて実行されると、図１２に示すように、まず、ステップＳ４００に移行するようになっている。
ステップＳ４００では、登録要求を受信したか否かを判定し、登録要求を受信したと判定したとき(Yes)は、ステップＳ４０２に移行して、生体情報およびタグ情報を受信し、ステップＳ４０４に移行して、受信した生体情報と対応する義務者身元情報を義務者身元情報登録ＤＢ３０４のなかから検索し、ステップＳ４０６に移行する。
【０１４９】
ステップＳ４０６では、該当の義務者身分情報が索出されたか否かを判定し、該当の義務者身分情報が索出されたと判定したとき(Yes)は、ステップＳ４０８に移行して、受信した生体情報を、受信したタグ情報と対応付けて生体情報登録ＤＢ３１２に登録し、ステップＳ４１０に移行して、登録完了通知を登録要求端末２００に送信し、一連の処理を終了して元の処理に復帰させる。
一方、ステップＳ４０４で、該当の義務者身分情報が索出されないと判定したとき(No)、およびステップＳ４００で、登録要求を受信しないと判定したとき(No)はいずれも、一連の処理を終了して元の処理に復帰させる。
【０１５０】
次に、義務者情報更新処理を図１３を参照しながら説明する。図１３は、義務者情報更新処理を示すフローチャートである。
義務者情報更新処理は、ＣＰＵにおいて実行されると、図１３に示すように、まず、ステップＳ４５０に移行するようになっている。
ステップＳ４５０では、更新要求を受信したか否かを判定し、登録要求を受信したと判定したとき(Yes)は、ステップＳ４５２に移行して、現義務者の生体情報、新義務者の生体情報およびタグ情報を受信し、ステップＳ４５４に移行して、受信した新義務者の生体情報と対応する義務者身元情報を義務者身元情報登録ＤＢ３０４のなかから検索し、ステップＳ４５６に移行する。
【０１５１】
ステップＳ４５６では、該当の義務者身分情報が索出されたか否かを判定し、該当の義務者身分情報が索出されたと判定したとき(Yes)は、ステップＳ４５８に移行して、受信したタグ情報と同一のタグ情報を生体情報登録ＤＢ３１２のなかから検索し、ステップＳ４６０に移行する。
ステップＳ４６０では、該当のタグ情報が索出されたか否かを判定し、該当のタグ情報が索出されたと判定したとき(Yes)は、ステップＳ４６２に移行して、受信した現義務者の生体情報と、索出されたタグ情報に対応付けられた生体情報とが同一であるか否かを判定し、それらが同一であると判定したとき(Yes)は、ステップＳ４６４に移行する。
【０１５２】
ステップＳ４６４では、受信した新義務者の生体情報を、索出されたタグ情報に対応付けられた生体情報に代えて生体情報登録ＤＢ３１２に登録し、ステップＳ４６６に移行して、更新完了通知を登録要求端末２００に送信し、一連の処理を終了して元の処理に復帰させる。
一方、ステップＳ４６２で、受信した現義務者の生体情報と、索出されたタグ情報に対応付けられた生体情報とが同一でないと判定したとき(No)、ステップＳ４６０で、該当のタグ情報が索出されないと判定したとき(No)、ステップＳ４５６で、該当の義務者身分情報が索出されないと判定したとき(No)、およびステップＳ４５０で、更新要求を受信しないと判定したとき(No)はいずれも、一連の処理を終了して元の処理に復帰させる。
【０１５３】
次に、本実施の形態の動作を説明する。
排出事業者が廃棄対象物１００を購入した場合は、排出事業者が廃棄物処理義務者となるので、廃棄対象物１００について廃棄物処理義務者の登録を行う。廃棄物処理義務者の登録は、例えば、販売店において行うことができる。
廃棄物処理義務者の登録を行うには、排出事業者は、登録要求端末２００において、廃棄対象物１００に付されているＲＦＩＤ非接触型ＩＣタグ１０２からタグ情報読取部２０２でタグ情報を読み取るとともに、自己の生体情報を生体情報入力部２１０から入力する。
【０１５４】
登録要求端末２００では、タグ情報の読取および生体情報の入力が行われると、ステップＳ３０４を経て、入力された生体情報および読み取られたタグ情報が登録要求とともに登録サーバ３００に送信される。
登録サーバ３００では、登録要求とともに生体情報およびタグ情報を受信すると、ステップＳ４０４を経て、受信した生体情報と対応する義務者身元情報が義務者身元情報登録ＤＢ３０４のなかから検索される。その結果、該当の義務者身分情報が索出されると、ステップＳ４０８，Ｓ４１０を経て、受信した生体情報が、受信したタグ情報と対応付けられて生体情報登録ＤＢ３１２に登録され、登録完了通知が登録要求端末２００に送信される。
【０１５５】
登録要求端末２００では、登録完了通知を受信すると、ステップＳ３０８を経て、廃棄物処理義務者の登録が完了した旨が表示部２０４に表示される。
したがって、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取って生体情報登録ＤＢ３１２の登録内容と照合すれば、廃棄物処理義務者を特定できる可能性がある。また、登録適格は、義務者身元情報登録ＤＢ３０４に身元が登録されている者にしか与えられていないので、身元不明者による登録を防止することができる。
【０１５６】
次に、排出事業者が廃棄対象物１００を廃棄するために、排出事業者が収集運搬業者に廃棄対象物１００を引き渡す場合は、収集運搬業者が新たな廃棄物処理義務者となるので、廃棄対象物１００について廃棄物処理義務者の更新を行う。
廃棄物処理義務者の更新を行うには、収集運搬業者は、登録要求端末２００において、廃棄対象物１００に付されているＲＦＩＤ非接触型ＩＣタグ１０２からタグ情報読取部２０２でタグ情報を読み取るとともに、自己の生体情報（新義務者の生体情報）を生体情報入力部２１０から入力する。また、タグ情報を読み取った後に、排出事業者は、自己の生体情報（現義務者の生体情報）を生体情報入力部２１０から入力する。
【０１５７】
登録要求端末２００では、タグ情報の読取並びに現義務者の生体情報および新義務者の生体情報の入力が行われると、ステップＳ３５６を経て、入力された現義務者の生体情報および新義務者の生体情報並びに読み取られたタグ情報が更新要求とともに登録サーバ３００に送信される。
登録サーバ３００では、更新要求とともに現義務者の生体情報、新義務者の生体情報およびタグ情報を受信すると、ステップＳ４５４を経て、受信した新義務者の生体情報と対応する義務者身元情報が義務者身元情報登録ＤＢ３０４のなかから検索される。その結果、該当の義務者身分情報が索出されると、ステップＳ４５８を経て、受信したタグ情報と同一のタグ情報が生体情報登録ＤＢ３１２のなかから検索される。その結果、該当のタグ情報が索出され、さらに、受信した現義務者の生体情報と、索出されたタグ情報に対応付けられた生体情報とが同一であると、ステップＳ４６４，Ｓ４６６を経て、受信した新義務者の生体情報が、索出されたタグ情報に対応付けられた生体情報に代えて生体情報登録ＤＢ３１２に登録され、更新完了通知が登録要求端末２００に送信される。
【０１５８】
登録要求端末２００では、更新完了通知を受信すると、ステップＳ３６０を経て、廃棄物処理義務者の更新が完了した旨が表示部２０４に表示される。
したがって、廃棄物処理義務者の更新を行うには、廃棄物処理義務者として新たに登録しようとする者の生体情報のほかに、廃棄物処理義務者として現在登録されている者の生体情報を入力する必要がある。
【０１５９】
このようにして、本実施の形態では、登録要求端末２００は、廃棄物処理義務者の登録を行う場合は、生体情報入力部２１０で入力した生体情報およびタグ情報読取部２０２で読み取ったタグ情報を登録要求とともに登録サーバ３００に送信するようになっており、登録サーバ３００は、登録要求を受信した場合は、受信した生体情報と対応する義務者身元情報が義務者身元情報登録ＤＢ３０４に記憶されていると判定したときは、受信した生体情報を、受信したタグ情報と対応付けて生体情報登録ＤＢ３１２に登録するようになっている。
【０１６０】
これにより、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取って生体情報登録ＤＢ３１２の登録内容と照合することにより、廃棄物処理義務者を特定できる可能性がある。また、非接触による検出を行うことから、ＲＦＩＤ非接触型ＩＣタグ１０２が故意または偶発的に取り除かれる可能性が少ない。したがって、従来に比して、廃棄物処理義務者の管理を比較的容易かつ確実に行うことができる。さらに、義務者身元情報登録ＤＢ３０４に身元が登録されている者にしか登録適格が与えられていないので、身元不明者による登録を防止することができ、廃棄物処理義務者の管理をさらに確実に行うことができる。
【０１６１】
さらに、本実施の形態では、登録要求端末２００は、廃棄物処理義務者の更新を行う場合は、現義務者の生体情報および新義務者の生体情報を生体情報入力部２１０から入力し、生体情報入力部２１０で入力した現義務者の生体情報および新義務者の生体情報並びにタグ情報読取部２０２で読み取ったタグ情報を更新要求とともに登録サーバ３００に送信するようになっており、登録サーバ３００は、更新要求を受信した場合は、生体情報登録ＤＢ３１２の生体情報のうち受信したタグ情報に対応するものと、受信した現義務者の生体情報とが同一であると判定したときは、受信した新義務者の生体情報を、生体情報登録ＤＢ３１２の生体情報のうち受信したタグ情報に対応するものに代えて生体情報登録ＤＢ３１２に登録するようになっている。
【０１６２】
これにより、廃棄物処理義務者の更新を行うには、廃棄物処理義務者として新たに登録しようとする者の生体情報のほかに、廃棄物処理義務者として現在登録されている者の生体情報を入力する必要があるので、廃棄物処理義務者の更新を比較的高い信頼性をもって行うことができる。したがって、廃棄物処理義務者の管理をさらに確実に行うことができる。
さらに、本実施の形態では、廃棄対象物１００には、複数のＲＦＩＤ非接触型ＩＣタグ１０２を埋め込むようにした。
これにより、ＲＦＩＤ非接触型ＩＣタグ１０２が故意または偶発的に取り除かれる可能性がさらに少なくなるので、廃棄物処理義務者の管理をさらに確実に行うことができる。
【０１６３】
上記第２の実施の形態において、ＲＦＩＤ非接触型ＩＣタグ１０２は、発明１、３、９、１０、１３、１８、１９、２１、２７、２８、３１または３６の非接触型タグに対応し、生体情報は、発明１ないし３、１３若しくは１８の取扱者情報、または発明１９ないし２１、３１若しくは３６の義務者情報に対応している。また、現義務者の生体情報は、発明２の第１取扱者情報、または発明２０の第１義務者情報に対応し、新義務者の生体情報は、発明２の第２取扱者情報、または発明２０の第２義務者情報に対応し、生体情報は、発明３、１０、１１、１５若しくは１６の取扱者識別情報、または発明２１、２８、２９、３３若しくは３４の義務者識別情報に対応している。
【０１６４】
また、上記第２の実施の形態において、登録要求端末２００は、発明３、１０、１１、１５若しくは３３の取扱者情報登録要求端末、または発明２１、２８若しくは２９の義務者情報登録要求端末に対応し、タグ情報読取部２０２は、発明１ないし３、１０、１３、１５、１９ないし２１、２８、３１または３３のタグ情報読取手段に対応している。また、タグ情報読取部２０２による読取は、発明１８または３６のタグ情報読取ステップに対応し、生体情報入力部２１０は、発明１、２若しくは１３の取扱者情報入力手段、発明３、１０若しくは１５の取扱者識別情報入力手段、発明１９、２０若しくは３１の義務者情報入力手段、または発明２１、２８若しくは３３の義務者識別情報入力手段に対応している。
【０１６５】
また、上記第２の実施の形態において、生体情報入力部２１０による入力は、発明１８の取扱者情報入力ステップ、または発明３６の義務者情報入力ステップに対応し、登録サーバ３００は、発明３、１０、１１、１５、１６若しくは３４の取扱者情報登録端末、または発明２１、２８、２９若しくは３３の義務者情報登録端末に対応している。また、生体情報登録ＤＢ３１２は、発明１、２、１３若しくは１８の取扱者情報記憶手段、または発明１９、２０、３１若しくは３６の義務者情報記憶手段に対応し、義務者身元情報登録ＤＢ３０４は、発明３、１１若しくは１６の取扱者身元情報記憶手段、または発明２１、２９若しくは３４の義務者身元情報記憶手段に対応している。
【０１６６】
また、上記第２の実施の形態において、生体情報登録ＤＢ３１２は、発明３、１１若しくは１６の取扱者識別情報記憶手段、または発明２１、２９若しくは３４の義務者識別情報記憶手段に対応し、ＤＢアクセス部３０８は、発明１、２若しくは１３の取扱者情報登録手段、発明３若しくは１１の取扱者識別情報登録手段、発明１９、２０若しくは３１の義務者情報登録手段、または発明２１若しくは２９の義務者識別情報登録手段に対応している。また、ＤＢアクセス部３０８による登録は、発明１８の取扱者情報登録ステップ、または発明３６の義務者情報登録ステップに対応している。
【０１６７】
次に、本発明の第３の実施の形態を図面を参照しながら説明する。図１４ないし図１６は、本発明に係る物品取扱者管理システム、取扱者情報登録要求端末、取扱者情報登録端末、物品取扱者管理プログラムおよび端末用プログラム、並びに物品取扱者管理方法の第３の実施の形態を示す図である。なお、以下、上記第２の実施の形態と異なる部分についてのみ説明し、重複する部分については同一の符号を付して説明を省略する。
【０１６８】
本実施の形態は、本発明に係る物品取扱者管理システム、取扱者情報登録要求端末、取扱者情報登録端末、物品取扱者管理プログラムおよび端末用プログラム、並びに物品取扱者管理方法を、図１４に示すように、廃棄物処理義務者を管理する場合について適用したものであり、上記第２の実施の形態と異なるのは、義務者身元情報登録ＤＢ３０４を用いない点にある。
【０１６９】
まず、登録サーバ３００の構成を図１４を参照しながら詳細に説明する。図１４は、本発明を適用するシステムの構成を示す機能ブロック図である。
登録サーバ３００は、図１４に示すように、通信部３０２と、生体情報登録ＤＢ３１２と、生体情報登録ＤＢ３１２のなかから情報を検索するＤＢアクセス部３０８とで構成されている。また、ＲＯＭの所定領域に格納されている所定のプログラムを起動させ、そのプログラムに従って、図１５および図１６のフローチャートに示す義務者情報登録処理および義務者情報更新処理を実行するようになっている。
【０１７０】
初めに、義務者情報登録処理を図１５を参照しながら説明する。図１５は、義務者情報登録処理を示すフローチャートである。
義務者情報登録処理は、ＣＰＵにおいて実行されると、図１５に示すように、まず、ステップＳ５００に移行するようになっている。
ステップＳ５００では、登録要求を受信したか否かを判定し、登録要求を受信したと判定したとき(Yes)は、ステップＳ５０２に移行して、生体情報およびタグ情報を受信し、ステップＳ５０４に移行して、受信したタグ情報と同一のタグ情報が生体情報登録ＤＢ３１２に登録されていないか否かを判定し、同一のタグ情報が登録されていないと判定したとき(Yes)は、ステップＳ５０６に移行する。
【０１７１】
ステップＳ５０６では、受信した生体情報を、受信したタグ情報と対応付けて生体情報登録ＤＢ３１２に登録し、ステップＳ５０８に移行して、登録完了通知を登録要求端末２００に送信し、一連の処理を終了して元の処理に復帰させる。
一方、ステップＳ５０４で、受信したタグ情報と同一のタグ情報が生体情報登録ＤＢ３１２に登録されていると判定したとき(No)、およびステップＳ５００で、登録要求を受信しないと判定したとき(No)はいずれも、一連の処理を終了して元の処理に復帰させる。
【０１７２】
次に、義務者情報更新処理を図１６を参照しながら説明する。図１６は、義務者情報更新処理を示すフローチャートである。
義務者情報更新処理は、ＣＰＵにおいて実行されると、図１６に示すように、まず、ステップＳ５５０に移行するようになっている。
ステップＳ５５０では、更新要求を受信したか否かを判定し、登録要求を受信したと判定したとき(Yes)は、ステップＳ５５２に移行して、現義務者の生体情報、新義務者の生体情報およびタグ情報を受信し、ステップＳ５５４に移行して、受信したタグ情報と同一のタグ情報を生体情報登録ＤＢ３１２のなかから検索し、ステップＳ５５６に移行する。
【０１７３】
ステップＳ５５６では、該当のタグ情報が索出されたか否かを判定し、該当のタグ情報が索出されたと判定したとき(Yes)は、ステップＳ５５８に移行して、受信した現義務者の生体情報と、索出されたタグ情報に対応付けられた生体情報とが同一であるか否かを判定し、それらが同一であると判定したとき(Yes)は、ステップＳ５６０に移行する。
ステップＳ５６０では、受信した新義務者の生体情報を、索出されたタグ情報に対応付けられた生体情報に代えて生体情報登録ＤＢ３１２に登録し、ステップＳ５６２に移行して、更新完了通知を登録要求端末２００に送信し、一連の処理を終了して元の処理に復帰させる。
一方、ステップＳ５５８で、受信した現義務者の生体情報と、索出されたタグ情報に対応付けられた生体情報とが同一でないと判定したとき(No)、ステップＳ５５６で、該当のタグ情報が索出されないと判定したとき(No)、およびステップＳ５５０で、更新要求を受信しないと判定したとき(No)はいずれも、一連の処理を終了して元の処理に復帰させる。
【０１７４】
次に、本実施の形態の動作を説明する。
排出事業者が廃棄対象物１００を購入した場合は、排出事業者が廃棄物処理義務者となるので、廃棄対象物１００について廃棄物処理義務者の登録を行う。廃棄物処理義務者の登録は、例えば、販売店において行うことができる。
廃棄物処理義務者の登録を行うには、排出事業者は、登録要求端末２００において、廃棄対象物１００に付されているＲＦＩＤ非接触型ＩＣタグ１０２からタグ情報読取部２０２でタグ情報を読み取るとともに、自己の生体情報を生体情報入力部２１０から入力する。
【０１７５】
登録要求端末２００では、タグ情報の読取および生体情報の入力が行われると、ステップＳ３０４を経て、入力された生体情報および読み取られたタグ情報が登録要求とともに登録サーバ３００に送信される。
登録サーバ３００では、登録要求とともに生体情報およびタグ情報を受信すると、ステップＳ５０６，Ｓ５０８を経て、受信した生体情報が、受信したタグ情報と対応付けられて生体情報登録ＤＢ３１２に登録され、登録完了通知が登録要求端末２００に送信される。
【０１７６】
登録要求端末２００では、登録完了通知を受信すると、ステップＳ３０８を経て、廃棄物処理義務者の登録が完了した旨が表示部２０４に表示される。
したがって、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取って生体情報登録ＤＢ３１２の登録内容と照合すれば、廃棄物処理義務者を特定できる可能性がある。
【０１７７】
次に、排出事業者が廃棄対象物１００を廃棄するために、排出事業者が収集運搬業者に廃棄対象物１００を引き渡す場合は、収集運搬業者が新たな廃棄物処理義務者となるので、廃棄対象物１００について廃棄物処理義務者の更新を行う。
廃棄物処理義務者の更新を行うには、収集運搬業者は、登録要求端末２００において、廃棄対象物１００に付されているＲＦＩＤ非接触型ＩＣタグ１０２からタグ情報読取部２０２でタグ情報を読み取るとともに、自己の生体情報（新義務者の生体情報）を生体情報入力部２１０から入力する。また、タグ情報を読み取った後に、排出事業者は、自己の生体情報（現義務者の生体情報）を生体情報入力部２１０から入力する。
【０１７８】
登録要求端末２００では、タグ情報の読取並びに現義務者の生体情報および新義務者の生体情報の入力が行われると、ステップＳ３５６を経て、入力された現義務者の生体情報および新義務者の生体情報並びに読み取られたタグ情報が更新要求とともに登録サーバ３００に送信される。
登録サーバ３００では、更新要求とともに現義務者の生体情報、新義務者の生体情報およびタグ情報を受信すると、ステップＳ５５４を経て、受信したタグ情報と同一のタグ情報が生体情報登録ＤＢ３１２のなかから検索される。その結果、該当のタグ情報が索出され、さらに、受信した現義務者の生体情報と、索出されたタグ情報に対応付けられた生体情報とが同一であると、ステップＳ５６０，Ｓ５６２を経て、受信した新義務者の生体情報が、索出されたタグ情報に対応付けられた生体情報に代えて生体情報登録ＤＢ３１２に登録され、更新完了通知が登録要求端末２００に送信される。
【０１７９】
登録要求端末２００では、更新完了通知を受信すると、ステップＳ３６０を経て、廃棄物処理義務者の更新が完了した旨が表示部２０４に表示される。
したがって、廃棄物処理義務者の更新を行うには、廃棄物処理義務者として新たに登録しようとする者の生体情報のほかに、廃棄物処理義務者として現在登録されている者の生体情報を入力する必要がある。
【０１８０】
このようにして、本実施の形態では、登録要求端末２００は、廃棄物処理義務者の登録を行う場合は、生体情報入力部２１０で入力した生体情報およびタグ情報読取部２０２で読み取ったタグ情報を登録要求とともに登録サーバ３００に送信するようになっており、登録サーバ３００は、登録要求を受信したときは、受信した生体情報を、受信したタグ情報と対応付けて生体情報登録ＤＢ３１２に登録するようになっている。
【０１８１】
これにより、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取って生体情報登録ＤＢ３１２の登録内容と照合することにより、廃棄物処理義務者を特定できる可能性がある。また、非接触による検出を行うことから、ＲＦＩＤ非接触型ＩＣタグ１０２が故意または偶発的に取り除かれる可能性が少ない。したがって、従来に比して、廃棄物処理義務者の管理を比較的容易かつ確実に行うことができる。
【０１８２】
さらに、本実施の形態では、登録要求端末２００は、廃棄物処理義務者の更新を行う場合は、現義務者の生体情報および新義務者の生体情報を生体情報入力部２１０から入力し、生体情報入力部２１０で入力した現義務者の生体情報および新義務者の生体情報並びにタグ情報読取部２０２で読み取ったタグ情報を更新要求とともに登録サーバ３００に送信するようになっており、登録サーバ３００は、更新要求を受信した場合は、生体情報登録ＤＢ３１２の生体情報のうち受信したタグ情報に対応するものと、受信した現義務者の生体情報とが同一であると判定したときは、受信した新義務者の生体情報を、生体情報登録ＤＢ３１２の生体情報のうち受信したタグ情報に対応するものに代えて生体情報登録ＤＢ３１２に登録するようになっている。
【０１８３】
これにより、廃棄物処理義務者の更新を行うには、廃棄物処理義務者として新たに登録しようとする者の生体情報のほかに、廃棄物処理義務者として現在登録されている者の生体情報を入力する必要があるので、廃棄物処理義務者の更新を比較的高い信頼性をもって行うことができる。したがって、廃棄物処理義務者の管理をさらに確実に行うことができる。
さらに、本実施の形態では、廃棄対象物１００には、複数のＲＦＩＤ非接触型ＩＣタグ１０２を埋め込むようにした。
これにより、ＲＦＩＤ非接触型ＩＣタグ１０２が故意または偶発的に取り除かれる可能性がさらに少なくなるので、廃棄物処理義務者の管理をさらに確実に行うことができる。
【０１８４】
上記第３の実施の形態において、ＲＦＩＤ非接触型ＩＣタグ１０２は、発明１、５、９、１８、１９、２３、２７または３６の非接触型タグに対応し、生体情報は、発明１、２、５若しくは１８の取扱者情報、または発明１９、２０、２３若しくは３６の義務者情報に対応している。また、現義務者の生体情報は、発明２の第１取扱者情報、発明６の第１取扱者識別情報、発明２０の第１義務者情報、または発明２４の第１義務者識別情報に対応し、新義務者の生体情報は、発明２の第２取扱者情報、発明６の第２取扱者識別情報、発明２０の第２義務者情報、または発明２４の第２義務者識別情報に対応している。
【０１８５】
また、上記第３の実施の形態において、生体情報は、発明５、６、１２若しくは１７の取扱者識別情報、または発明２３、２４、３０若しくは３５の義務者識別情報に対応し、登録要求端末２００は、発明５、６若しくは１２の取扱者情報登録要求端末、または発明２３、２４若しくは３０の義務者情報登録要求端末に対応している。また、タグ情報読取部２０２は、発明１、２、５、６、１９、２０、２３または２４のタグ情報読取手段に対応し、タグ情報読取部２０２による読取は、発明１８または３６のタグ情報読取ステップに対応し、生体情報入力部２１０は、発明１若しくは２の取扱者情報入力手段、発明５若しくは６の取扱者識別情報入力手段、発明１９若しくは２０の義務者情報入力手段、または発明２３若しくは２４の義務者識別情報入力手段に対応している。
【０１８６】
また、上記第３の実施の形態において、生体情報入力部２１０による入力は、発明１８の取扱者情報入力ステップ、または発明３６の義務者情報入力ステップに対応し、登録サーバ３００は、発明５、６、１２、１７若しくは３５の取扱者情報登録端末、または発明２３、２４若しくは３０の義務者情報登録端末に対応している。また、生体情報登録ＤＢ３１２は、発明１、２若しくは１８の取扱者情報記憶手段、または発明１９、２０若しくは３６の義務者情報記憶手段に対応し、生体情報登録ＤＢ３１２は、発明５、６、１２若しくは１７の取扱者識別情報記憶手段、または発明２３、２４、３０若しくは３５の義務者識別情報記憶手段に対応している。
【０１８７】
また、上記第３の実施の形態において、ＤＢアクセス部３０８は、発明１若しくは２の取扱者情報登録手段、発明５、６若しくは１２の取扱者識別情報登録手段、発明１９若しくは２０の義務者情報登録手段、または発明２３、２４若しくは３０の義務者識別情報登録手段に対応している。また、ＤＢアクセス部３０８による登録は、発明１８の取扱者情報登録ステップ、または発明３６の義務者情報登録ステップに対応している。
【０１８８】
次に、本発明の第４の実施の形態を図面を参照しながら説明する。図１７ないし図１９は、本発明に係る物品取扱者管理システム、取扱者情報登録要求端末、取扱者情報登録端末、物品取扱者管理プログラムおよび端末用プログラム、並びに物品取扱者管理方法の第４の実施の形態を示す図である。なお、以下、上記第２の実施の形態と異なる部分についてのみ説明し、重複する部分については同一の符号を付して説明を省略する。
【０１８９】
本実施の形態は、本発明に係る物品取扱者管理システム、取扱者情報登録要求端末、取扱者情報登録端末、物品取扱者管理プログラムおよび端末用プログラム、並びに物品取扱者管理方法を、図１７に示すように、廃棄物処理義務者を管理する場合について適用したものであり、上記第２の実施の形態と異なるのは、登録サーバ３００を用いない点にある。
【０１９０】
まず、登録要求端末２００の構成を図１７を参照しながら詳細に説明する。図１７は、本発明を適用するシステムの構成を示す機能ブロック図である。
登録要求端末２００は、図１７に示すように、タグ情報読取部２０２と、表示部２０４と、入力部２０６と、生体情報入力部２１０と、ＲＦＩＤ非接触型ＩＣタグ１０２のタグ情報を非接触で書き換えるタグ情報書換部２１２とで構成されている。また、ＲＯＭの所定領域に格納されている所定のプログラムを起動させ、そのプログラムに従って、図１８および図１９のフローチャートに示す義務者情報登録要求処理および義務者情報更新要求処理を実行するようになっている。
【０１９１】
初めに、義務者情報登録要求処理を図１８を参照しながら説明する。図１８は、義務者情報登録要求処理を示すフローチャートである。
義務者情報登録要求処理は、ＣＰＵにおいて実行されると、図１８に示すように、まず、ステップＳ６００に移行するようになっている。
ステップＳ６００では、タグ情報読取部２０２によりＲＦＩＤ非接触型ＩＣタグ１０２からタグ情報を読み取り、ステップＳ６０２に移行して、ＲＦＩＤ非接触型ＩＣタグ１０２にタグ情報が登録されているか否かを判定し、タグ情報が登録されていないと判定したとき(No)は、ステップＳ６０４に移行する。
【０１９２】
ステップＳ６０４では、生体情報入力部２１０から生体情報を入力し、ステップＳ６０６に移行して、入力した生体情報および読み取ったタグ情報をタグ情報書換部２１２によりＲＦＩＤ非接触型ＩＣタグ１０２に登録し、ステップＳ６０８に移行して、廃棄物処理義務者の登録が完了した旨を表示部２０４に表示し、一連の処理を終了して元の処理に復帰させる。
一方、ステップＳ６０２で、ＲＦＩＤ非接触型ＩＣタグ１０２にタグ情報が登録されていると判定したとき(Yes)は、一連の処理を終了して元の処理に復帰させる。
【０１９３】
次に、義務者情報更新要求処理を図１９を参照しながら説明する。図１９は、義務者情報更新要求処理を示すフローチャートである。
義務者情報更新要求処理は、ＣＰＵにおいて実行されると、図１９に示すように、まず、ステップＳ６５０に移行するようになっている。
ステップＳ６５０では、タグ情報読取部２０２によりＲＦＩＤ非接触型ＩＣタグ１０２からタグ情報を読み取り、ステップＳ６５２に移行して、ＲＦＩＤ非接触型ＩＣタグ１０２にタグ情報が登録されているか否かを判定し、タグ情報が登録されていると判定したとき(Yes)は、ステップＳ６５４に移行する。
ステップＳ６５４では、現義務者の生体情報を生体情報入力部２１０から入力し、ステップＳ６５６に移行して、新義務者の生体情報を生体情報入力部２１０から入力し、ステップＳ６５８に移行する。
【０１９４】
ステップＳ６５８では、読み取ったタグ情報に含まれる生体情報と、入力した現義務者の生体情報とが同一であるか否かを判定し、それらが同一であると判定したとき(Yes)は、ステップＳ６６０に移行して、入力した新義務者の生体情報を、読み取ったタグ情報に含まれる生体情報に代えてタグ情報書換部２１２によりＲＦＩＤ非接触型ＩＣタグ１０２に登録し、ステップＳ６６２に移行して、廃棄物処理義務者の更新が完了した旨を表示部２０４に表示し、一連の処理を終了して元の処理に復帰させる。
一方、ステップＳ６５８で、読み取ったタグ情報に含まれる生体情報と、入力した現義務者の生体情報とが同一でないと判定したとき(No)、およびステップＳ６５２で、ＲＦＩＤ非接触型ＩＣタグ１０２にタグ情報が登録されていないと判定したとき(No)はいずれも、一連の処理を終了して元の処理に復帰させる。
【０１９５】
次に、本実施の形態の動作を説明する。
排出事業者が廃棄対象物１００を購入した場合は、排出事業者が廃棄物処理義務者となるので、廃棄対象物１００について廃棄物処理義務者の登録を行う。廃棄物処理義務者の登録は、例えば、販売店において行うことができる。
廃棄物処理義務者の登録を行うには、排出事業者は、登録要求端末２００において、廃棄対象物１００に付されているＲＦＩＤ非接触型ＩＣタグ１０２からタグ情報読取部２０２でタグ情報を読み取るとともに、自己の生体情報を生体情報入力部２１０から入力する。
【０１９６】
登録要求端末２００では、タグ情報の読取および生体情報の入力が行われると、ステップＳ６０６，Ｓ６０８を経て、タグ情報書換部２１２により、入力された生体情報および読み取られたタグ情報がＲＦＩＤ非接触型ＩＣタグ１０２に登録され、廃棄物処理義務者の登録が完了した旨が表示部２０４に表示される。
したがって、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取れば、廃棄物処理義務者を特定できる可能性がある。
【０１９７】
次に、排出事業者が廃棄対象物１００を廃棄するために、排出事業者が収集運搬業者に廃棄対象物１００を引き渡す場合は、収集運搬業者が新たな廃棄物処理義務者となるので、廃棄対象物１００について廃棄物処理義務者の更新を行う。
廃棄物処理義務者の更新を行うには、収集運搬業者は、登録要求端末２００において、廃棄対象物１００に付されているＲＦＩＤ非接触型ＩＣタグ１０２からタグ情報読取部２０２でタグ情報を読み取るとともに、自己の生体情報（新義務者の生体情報）を生体情報入力部２１０から入力する。また、タグ情報を読み取った後に、排出事業者は、自己の生体情報（現義務者の生体情報）を生体情報入力部２１０から入力する。
【０１９８】
登録要求端末２００では、タグ情報の読取並びに現義務者の生体情報および新義務者の生体情報の入力が行われると、ステップＳ６６０，Ｓ６６２を経て、タグ情報書換部２１２により、入力された新義務者の生体情報が、読み取られたタグ情報に含まれる生体情報に代えてＲＦＩＤ非接触型ＩＣタグ１０２に登録され、廃棄物処理義務者の更新が完了した旨が表示部２０４に表示される。
【０１９９】
したがって、廃棄物処理義務者の更新を行うには、廃棄物処理義務者として新たに登録しようとする者の生体情報のほかに、廃棄物処理義務者として現在登録されている者の生体情報を入力する必要がある。
このようにして、本実施の形態では、登録要求端末２００は、廃棄物処理義務者の登録を行う場合は、生体情報入力部２１０で入力した生体情報およびタグ情報読取部２０２で読み取ったタグ情報をタグ情報書換部２１２によりＲＦＩＤ非接触型ＩＣタグ１０２に登録するようになっている。
【０２００】
これにより、ＲＦＩＤ非接触型ＩＣタグ１０２が付されている廃棄対象物１００が不法投棄された場合は、その廃棄対象物１００に付されているＲＦＩＤ非接触型ＩＣタグ１０２からタグ情報を読み取ることにより、廃棄物処理義務者を特定できる可能性がある。また、非接触による検出を行うことから、ＲＦＩＤ非接触型ＩＣタグ１０２が故意または偶発的に取り除かれる可能性が少ない。したがって、従来に比して、廃棄物処理義務者の管理を比較的容易かつ確実に行うことができる。
【０２０１】
さらに、本実施の形態では、登録要求端末２００は、廃棄物処理義務者の更新を行う場合は、現義務者の生体情報および新義務者の生体情報を生体情報入力部２１０から入力し、読み取ったタグ情報に含まれる生体情報と、入力した現義務者の生体情報とが同一であると判定したときは、入力した新義務者の生体情報を、読み取ったタグ情報に含まれる生体情報に代えてタグ情報書換部２１２によりＲＦＩＤ非接触型ＩＣタグ１０２に登録するようになっている。
【０２０２】
これにより、廃棄物処理義務者の更新を行うには、廃棄物処理義務者として新たに登録しようとする者の生体情報のほかに、廃棄物処理義務者として現在登録されている者の生体情報を入力する必要があるので、廃棄物処理義務者の更新を比較的高い信頼性をもって行うことができる。したがって、廃棄物処理義務者の管理をさらに確実に行うことができる。
さらに、本実施の形態では、廃棄対象物１００には、複数のＲＦＩＤ非接触型ＩＣタグ１０２を埋め込むようにした。
これにより、ＲＦＩＤ非接触型ＩＣタグ１０２が故意または偶発的に取り除かれる可能性がさらに少なくなるので、廃棄物処理義務者の管理をさらに確実に行うことができる。
【０２０３】
上記第４の実施の形態において、ＲＦＩＤ非接触型ＩＣタグ１０２は、発明７ないし９、１４、２５ないし２７または３２の非接触型タグに対応し、現義務者の生体情報は、発明８の第１取扱者識別情報、または発明２６の第１義務者識別情報に対応し、新義務者の生体情報は、発明８の第２取扱者識別情報、または発明２６の第２義務者識別情報に対応している。また、生体情報は、発明７、８若しくは１４の取扱者識別情報、または発明２５、２６若しくは３２の義務者識別情報に対応し、タグ情報読取部２０２は、発明８の取扱者識別情報読取手段、または発明２６の義務者識別情報読取手段に対応している。
【０２０４】
また、上記第４の実施の形態において、生体情報入力部２１０は、発明７、８若しくは１４の取扱者識別情報入力手段、または発明２５、２６若しくは３２の義務者識別情報入力手段に対応し、タグ情報書換部２１２は、発明７、８、１４、２５、２６または３２のタグ情報書換手段に対応している。また、ステップＳ６０６，Ｓ６６０は、発明７、８若しくは１４の取扱者識別情報登録手段、または発明２５、２６若しくは３２の義務者識別情報登録手段に対応している。
【０２０５】
なお、上記第１の実施の形態においては、義務者ＩＤをタグ情報と対応付けて登録するように構成したが、これに限らず、義務者ＩＤに代えて生体情報を用いて構成してもよい。
また、上記第１の実施の形態においては、登録更新ＩＤを用いて廃棄物処理義務者の更新を行うように構成したが、これに限らず、義務者ＩＤを用いて廃棄物処理義務者の更新を行うように構成してもよい。
【０２０６】
また、上記第２ないし第４の実施の形態においては、生体情報をタグ情報と対応付けて登録するように構成したが、これに限らず、生体情報に代えて義務者ＩＤを用いて構成してもよい。
また、上記第１ないし第４の実施の形態において、図３、図４、図７、図８、図１０ないし図１３、図１５、図１６、図１８および図１９のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０２０７】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０２０８】
また、上記第１の実施の形態においては、本発明に係る物品取扱者管理システム、取扱者情報登録要求端末、取扱者情報登録端末、物品取扱者管理プログラムおよび端末用プログラム、並びに物品取扱者管理方法を、図１に示すように、複数のＲＦＩＤ非接触型ＩＣタグ１０２を廃棄対象物１００に埋め込み、ＲＦＩＤ非接触型ＩＣタグ１０２から非接触でタグ情報を読み取り、義務者ＩＤをタグ情報と対応付けて登録することにより廃棄物処理義務者を管理する場合について適用したが、これに限らず、本発明の主旨を逸脱しない範囲で他の場合にも適用可能である。
【０２０９】
また、上記第２ないし第４の実施の形態においては、本発明に係る物品取扱者管理システム、取扱者情報登録要求端末、取扱者情報登録端末、物品取扱者管理プログラムおよび端末用プログラム、並びに物品取扱者管理方法を、図９、図１４および図１７に示すように、複数のＲＦＩＤ非接触型ＩＣタグ１０２を廃棄対象物１００に埋め込み、ＲＦＩＤ非接触型ＩＣタグ１０２から非接触でタグ情報を読み取り、生体情報をタグ情報と対応付けて登録することにより廃棄物処理義務者を管理する場合について適用したが、これに限らず、本発明の主旨を逸脱しない範囲で他の場合にも適用可能である。
【図面の簡単な説明】
【０２１０】
【図１】本発明を適用するシステムの構成を示す機能ブロック図である。
【図２】ＲＦＩＤ非接触型ＩＣタグ１０２の内蔵メモリのデータ構造を示す図である。
【図３】義務者情報登録要求処理を示すフローチャートである。
【図４】義務者情報更新要求処理を示すフローチャートである。
【図５】義務者身元情報登録ＤＢ３０４のデータ構造を示す図である。
【図６】義務者ＩＤ登録ＤＢ３０６のデータ構造を示す図である。
【図７】義務者情報登録処理を示すフローチャートである。
【図８】義務者情報更新処理を示すフローチャートである。
【図９】本発明を適用するシステムの構成を示す機能ブロック図である。
【図１０】義務者情報登録要求処理を示すフローチャートである。
【図１１】義務者情報更新要求処理を示すフローチャートである。
【図１２】義務者情報登録処理を示すフローチャートである。
【図１３】義務者情報更新処理を示すフローチャートである。
【図１４】本発明を適用するシステムの構成を示す機能ブロック図である。
【図１５】義務者情報登録処理を示すフローチャートである。
【図１６】義務者情報更新処理を示すフローチャートである。
【図１７】本発明を適用するシステムの構成を示す機能ブロック図である。
【図１８】義務者情報登録要求処理を示すフローチャートである。
【図１９】義務者情報更新要求処理を示すフローチャートである。
【符号の説明】
【０２１１】
１００…廃棄対象物，  １０２…ＲＦＩＤ非接触型ＩＣタグ，  ２００…登録要求端末，  ２０２…タグ情報読取部，  ２０４…表示部，  ２０６…入力部，  ２０８…通信部，  ２１０…生体情報入力部，  ２１２…タグ情報書換部，  ３００…登録サーバ，  ３０２…通信部，  ３０４…義務者身元情報登録ＤＢ，  ３０６…義務者ＩＤ登録ＤＢ，  ３０８…ＤＢアクセス部，  ３１０…登録更新ＩＤ生成部，  ３１２…生体情報登録ＤＢ
【図１】
2005100431.tif 000003
【図２】
2005100431.tif 000004
【図３】
2005100431.tif 000005
【図４】
2005100431.tif 000006
【図５】
2005100431.tif 000007
【図６】
2005100431.tif 000008
【図７】
2005100431.tif 000009
【図８】
2005100431.tif 000010
【図９】
2005100431.tif 000011
【図１０】
2005100431.tif 000012
【図１１】
2005100431.tif 000013
【図１２】
2005100431.tif 000014
【図１３】
2005100431.tif 000015
【図１４】
2005100431.tif 000016
【図１５】
2005100431.tif 000017
【図１６】
2005100431.tif 000018
【図１７】
2005100431.tif 000019
【図１８】
2005100431.tif 000020
【図１９】
2005100431.tif 000021